(57)【要約】  Ｎ個の光トランシーバ（１１）と１個のＰＯＮ制御回路（１２）との間に選択・分配回路（１３）を設け、選択・分配回路（１３）が、時分割で到来する上りフレームに対応する光トランシーバ（１１）を選択することにより、当該トランシーバ（１１）で光電変換された上りフレームをＰＯＮ制御回路（１２）に転送するとともに、ＰＯＮ制御回路（１２）からの下りフレームを各光トランシーバ（１１）に分配し、電源制御回路（２３）が、各光トランシーバ（１１）のうちフレームの転送に使用されていない光トランシーバ（１１）のいずれか、および、選択・分配回路（１３）のうちフレームの転送に使用されていない回路のうち、少なくともいずれか一方に対する電源供給を停止する。これにより、光伝送システムにおけるＯＮＵ１台あたりのシステムコストを低減できる。
2016143692.tif 000002
【特許請求の範囲】
【請求項１】
Ｎ（Ｎは２以上の整数）個の光スプリッタと、これら光スプリッタを介して接続された複数の加入者側装置と上位装置との間でフレームを転送処理する局側装置とを備える光伝送システムで用いられる前記局側装置であって、
前記光スプリッタと１対１で接続されて、当該光スプリッタに接続された前記加入者側装置から前記上位装置への上りフレームの光電気変換を行うとともに、前記上位装置から前記加入者側装置への下りフレームの電気光変換を行うＮ個の光トランシーバと、
前記上位装置との間で前記上りフレームおよび前記下りフレームをやり取りするとともに、前記加入者側装置のそれぞれから異なる時刻に前記上りフレームが送信されるよう、これら加入者側装置に対して上りフレーム送信用の通信帯域を時分割で割り当てるＰＯＮ制御回路と、
時分割で到来する前記上りフレームに対応する前記光トランシーバを選択することにより、当該光トランシーバで光電変換された前記上りフレームを前記ＰＯＮ制御回路に転送するとともに、前記ＰＯＮ制御回路からの下りフレームを前記光トランシーバに分配する選択・分配回路と、
前記光トランシーバのうち前記フレームの転送に使用されない光トランシーバのいずれか、および、前記選択・分配回路のうち前記フレームの転送に使用されない回路、のうち、少なくともいずれか一方に対する電源供給を停止する電源制御回路と
を備えることを特徴とする局側装置。
【請求項２】
請求項１に記載の局側装置において、
前記電源制御回路は、前記光トランシーバに関する運用状況に基づいて、これら光トランシーバのうち休止中に設定されている休止光トランシーバに対する電源供給を停止することを特徴とする局側装置。
【請求項３】
請求項２に記載の局側装置において、
前記電源制御回路は、前記選択・分配回路のうち、前記休止光トランシーバから運用時に出力される上りフレームの転送に使用される回路の一部または全部に対する電源供給を停止することを特徴とする局側装置。
【請求項４】
請求項２に記載の局側装置において、
前記選択・分配回路は、前記光トランシーバごとに設けられたＮ個のバッファ回路により、当該光トランシーバで光電気変換された前記上りフレームの信号を増幅出力し、これらバッファ回路から出力された当該上りフレームの信号の論理和出力を、前記ＰＯＮ制御回路に出力する選択回路を有し、
前記電源制御回路は、前記光トランシーバごとに設けられて、当該光トランシーバの運用状況に基づき当該光トランシーバへの電源供給を制御するＮ個の第１の電源スイッチと、前記光トランシーバごとに設けられて、当該光トランシーバの運用状況に基づき当該光トランシーバに対応する前記バッファ回路への電源供給を制御するＮ個の第２の電源スイッチとを有する
ことを特徴とする局側装置。
【請求項５】
請求項２に記載の局側装置において、
前記電源制御回路は、時分割で到来する前記上りフレームの到来期間を示す上り帯域割当状況に基づいて、前記選択・分配回路のうち、当該上りフレームの転送に使用されない回路の一部または全部に対する電源供給を停止することを特徴とする局側装置。
【請求項６】
請求項５に記載の局側装置において、
前記選択・分配回路は、前記光トランシーバごとに設けられたＮ個のバッファ回路により、当該光トランシーバで光電気変換された前記上りフレームの信号を増幅出力し、これらバッファ回路から出力された前記上りフレームの信号の論理和出力を、前記ＰＯＮ制御回路に出力する選択回路を有し、
前記電源制御回路は、前記光トランシーバごとに設けられて、当該光トランシーバの運用状況に基づき当該光トランシーバへの電源供給を制御するＮ個の第１の電源スイッチと、前記光トランシーバごとに設けられて、当該光トランシーバに関する運用状況および上り帯域割当状況に基づき当該光トランシーバに対応する前記バッファ回路への電源供給を制御するＮ個の第２の電源スイッチとを有する
ことを特徴とする局側装置。
【請求項７】
請求項１に記載の局側装置において、
前記電源制御回路は、前記加入者側装置ごとに設定されている当該加入者側装置のスリープ状況から抽出した前記光トランシーバごとの光トランシーバ別スリープ状況に基づいて、前記光トランシーバのうち、当該光トランシーバに接続されているすべての加入者側装置がスリープ状態にあるスリープ中光トランシーバに対する電源供給を停止することを特徴とする局側装置。
【請求項８】
請求項７に記載の局側装置において、
前記電源制御回路は、前記選択・分配回路のうち、前記スリープ中光トランシーバから運用時に出力される上りフレームの転送に使用される回路の一部または全部に対する電源供給を停止することを特徴とする局側装置。
【請求項９】
請求項７に記載の局側装置において、
前記選択・分配回路は、前記光トランシーバごとに設けられたＮ個のバッファ回路により、当該光トランシーバで光電気変換された前記上りフレームの信号を増幅出力し、これらバッファ回路から出力された当該上りフレームの信号の論理和出力を、前記ＰＯＮ制御回路に出力する選択回路を有し、
前記電源制御回路は、前記光トランシーバごとに設けられて、当該光トランシーバの光トランシーバ別スリープ状況に基づいて、当該光トランシーバへの電源供給を制御するＮ個の第１の電源スイッチと、当該光トランシーバの光トランシーバ別スリープ状況に基づいて、当該光トランシーバに対応する前記バッファ回路への電源供給を制御するＮ個の第２の電源スイッチとを有する
ことを特徴とする局側装置。
【請求項１０】
請求項７に記載の局側装置において、
前記電源制御回路は、時分割で到来する前記上りフレームの到来期間を示す上り帯域割当状況に基づいて、前記選択・分配回路のうち、当該上りフレームの転送に使用されない回路の一部または全部に対する電源供給を停止することを特徴とする局側装置。
【請求項１１】
請求項１０に記載の局側装置において、
前記選択・分配回路は、前記光トランシーバごとに設けられたＮ個のバッファ回路により、当該光トランシーバで光電気変換された前記上りフレームの信号を増幅出力し、これらバッファ回路から出力された前記上りフレームの信号の論理和出力を、前記ＰＯＮ制御回路に出力する選択回路を有し、
前記電源制御回路は、前記光トランシーバごとに設けられて、当該光トランシーバの光トランシーバ別スリープ状況に基づいて、当該光トランシーバへの電源供給を制御するＮ個の第１の電源スイッチと、前記光トランシーバごとに設けられて、当該光トランシーバの光トランシーバ別スリープ状況および上り帯域割当状況に基づいて、当該光トランシーバに対応する前記バッファ回路への電源供給を制御するＮ個の第２の電源スイッチとを有する
ことを特徴とする局側装置。
【請求項１２】
請求項１に記載の局側装置において、
前記電源制御回路は、時分割で到来する前記上りフレームの到来期間を示す上り帯域割当状況に基づいて、前記選択・分配回路のうち、当該上りフレームの転送に使用されない回路の一部または全部に対する電源供給を停止することを特徴とする局側装置。
【請求項１３】
請求項１２に記載の局側装置において、
前記選択・分配回路は、前記光トランシーバごとに設けられたＮ個のバッファ回路により、当該光トランシーバで光電気変換された前記上りフレームの信号を増幅出力し、これらバッファ回路から出力された前記上りフレームの信号の論理和出力を、前記ＰＯＮ制御回路に出力する選択回路を有し、
前記電源制御回路は、前記光トランシーバごとに設けられて、前記上り帯域割当状況に基づいて、当該光トランシーバに到来する前記上りフレームの到来期間に合わせて、当該光トランシーバに対応する前記バッファ回路への電源供給を制御するＮ個の電源スイッチを有する
ことを特徴とする局側装置。
【請求項１４】
請求項１２に記載の局側装置において、
前記選択・分配回路は、前記上り帯域割当状況に基づいて複数のセレクタを切替制御することにより、時分割で到来する前記上りフレームに対応する前記光トランシーバを選択し、当該光トランシーバで光電気変換された当該上りフレームを前記ＰＯＮ制御回路へ転送する選択回路を有し、
前記電源制御回路は、前記セレクタの切替制御状態に基づいて、これらセレクタのうち前記上りフレームが通過しないセレクタの一部または全部に対する電源供給を停止する複数の電源スイッチを有する
ことを特徴とする局側装置。
【請求項１５】
請求項１に記載の局側装置において、
前記光スプリッタと前記光トランシーバとを切替接続するＮ×Ｎの光スイッチをさらに備え、
前記ＰＯＮ制御回路は、前記光トランシーバのうち、第１の光トランシーバの運用状況が休止中に変更され、かつ、第２の光トランシーバの運用状況が運用中に変更された場合、前記光スイッチを切替制御して、当該第１の光トランシーバに接続されている前記光スプリッタを当該第２の光トランシーバに切替接続する
ことを特徴とする局側装置。
【請求項１６】
請求項１に記載の局側装置において、
前記光スプリッタと前記光トランシーバとを切替接続するＮ×Ｎの光スイッチをさらに備え、
前記ＰＯＮ制御回路は、前記選択・分配回路から転送される前記上りフレームのフレーム間隔を前記光トランシーバごとに監視し、当該フレーム間隔が所定の監視期間を超えた光トランシーバが発生した時点で、当該光トランシーバを故障光トランシーバとして判定し、当該運用状況を休止中であってかつ使用不可と変更するとともに、運用状況が休止中であってかつ使用可能な他の光トランシーバを代替光トランシーバとして１つ選択して当該運用状況を運用中に変更し、前記光スイッチを切替制御して、当該故障光トランシーバに接続されている前記光スプリッタを当該代替光トランシーバに切替接続する
ことを特徴とする局側装置。
【請求項１７】
請求項１に記載の局側装置において、
前記光スプリッタと前記光トランシーバとを切替接続するＮ×Ｎの光スイッチをさらに備え、
前記ＰＯＮ制御回路は、前記加入者側装置のスリープ状態に基づいて、前記光スイッチを切替制御し、
前記電源制御回路は、前記光トランシーバのうちスリープ中である光トランシーバに対する電源供給を停止する
ことを特徴とする局側装置。
【請求項１８】
Ｎ（Ｎは２以上の整数）個の光スプリッタと、これら光スプリッタを介して接続された複数の加入者側装置と上位装置との間でフレームを転送処理する局側装置とを備える光伝送システムであって、
前記局側装置が、請求項１〜請求項１７のいずれかに記載の局側装置からなることを特徴とする光伝送システム。
【発明の詳細な説明】
【技術分野】
【０００１】
この発明は、ＰＯＮ（光通信網：Passive Optical Network）を介して接続された複数のＯＮＵ（加入者側装置：Optical Network Unit）と上位装置との間でフレームを転送処理する光伝送システムにおけるＯＬＴ（局側装置：Optical Line Terminal）及び光伝送システムに関し、特に、多数のＯＮＵとの効率的な通信を可能とするＯＬＴ及び光伝送システムに関するものである。
【背景技術】
【０００２】
近年、ＦＴＴＨ（Fiber To The Home）などの光アクセスシステムで利用されるＰＯＮとして、２００９年にＩＥＥＥ８０２．３ａｖにおいて１０Ｇ−ＥＰＯＮ（10 Gigabit Ethernet Passive Optical Network：Ethernetは登録商標）の標準化が完了した。１０Ｇ−ＥＰＯＮの特徴は、既に広く普及しているＧＥ−ＰＯＮ（Gigabit Ethernet Passive Optical Network：非特許文献１参照）の１０倍の高速伝送が可能なことである。さらに、既存のＧＥ−ＰＯＮと１０Ｇ−ＥＰＯＮを混在させて利用できるという特徴がある。【０００３】
ＧＥ−ＰＯＮと１０Ｇ−ＥＰＯＮを混在させて利用する場合は、１Ｇ下り信号と１０Ｇ下り信号で異なる波長を使用するＷＤＭ（Wavelength Division Multiplexing）技術を用い、１Ｇ下り信号間と１０Ｇ下り信号間のそれぞれにおいてＴＤＭ（Time Division Multiplexing ）技術を用いる。上り信号においては、１Ｇ上り信号と１０Ｇ上り信号で同一の波長を使用し、１Ｇ上り信号と１０Ｇ上り信号をまとめてＴＤＭＡ（Time Division Multiple Access）技術を用いる。すなわち、１Ｇ下り信号、１０Ｇ下り信号、および、上り信号で異なる３種類の波長を用いる。【０００４】
このようなＧＥ−ＰＯＮや１０Ｇ−ＥＰＯＮを用いた光伝送システムを、ＧＥ−ＰＯＮシステムや１０Ｇ−ＥＰＯＮシステムと呼ぶ。
図１７は、従来のＧＥ−ＰＯＮシステムを示す構成例である。このＧＥ−ＰＯＮシステムは、ＯＬＴ（局側装置）５０、光スプリッタ２、および複数のＯＮＵ（加入者側装置）３から構成されており、光スプリッタ２を介して接続された複数のＯＮＵ３がＯＬＴ５０に収容されている。【０００５】
ＧＥ−ＰＯＮ用のＯＬＴ５０は、光トランシーバ５１とＰＯＮ制御回路５２とを内蔵している。ＯＬＴ５０において、光トランシーバ５１は、光トランシーバ５１に接続されたＯＮＵ３への下りフレームの電気光変換とＯＮＵ３からの上りフレームの光電気変換を行う。ＰＯＮ制御回路５２は、光トランシーバ５１で受信したＯＮＵ３からの上りフレームを上位装置（図示せず）へ転送し、上位装置から受信した下りフレームを光トランシーバ５１へ転送する。【０００６】
図１８は、従来のＧＥ−ＰＯＮシステムを示す他の構成例である。ＯＬＴ５０において、１個の光トランシーバ５１に接続可能なＯＮＵ３の台数は最大で３２台とＩＥＥＥ規格で規定されている。そのため、ＯＮＵ３を収容する局として、３３台以上のＯＮＵ３を接続する必要がある場合は、図１８に示すように、ＯＬＴ５０とＯＮＵ３との間に複数の光スプリッタ２を設け、複数の光トランシーバ５１と、複数のＰＯＮ制御回路５２とを使用する構成が一般的な構成となる。
【先行技術文献】
【特許文献】
【０００７】
【特許文献１】特開２０１２−１９３５３号公報
【非特許文献】
【０００８】
【非特許文献１】「技術基礎講座〔ＧＥ−ＰＯＮ技術〕第１回  ＰＯＮとは」、ＮＴＴ技術ジャーナル、Vol.17、No.8、pp.71-74、2005.
【発明の概要】
【発明が解決しようとする課題】
【０００９】
１０Ｇ−ＥＰＯＮシステムにおいても１個の光トランシーバ５１に接続可能なＯＮＵ３の台数は最大で３２台とＩＥＥＥ規格で規定されているが、１０Ｇ−ＥＰＯＮ用のＰＯＮ制御装置はＧＥ−ＰＯＮ用のＰＯＮ制御装置より高性能（１０倍のデータ転送速度）が要求され、装置コスト（装置の購入価格等）も高くなる。したがって、１０Ｇ−ＥＰＯＮシステムを採用するための課題として、ＯＮＵ１台あたりのシステムコストをできるだけ小さくすることが課題となっている。【００１０】
上記の課題の対策の１つとして、１個の光トランシーバに接続可能なＯＮＵの台数を拡大することにより、光トランシーバとＰＯＮ制御回路の使用個数を減らすことが考えられる。例えば、光増幅器を使用することにより３３台以上のＯＮＵを接続可能とする技術が提案されている（例えば、特許文献１参照）。【００１１】
しかし、光増幅器は装置のコスト（装置の購入価格等）が電気回路用の部品（ＬＳＩ等）と比較すると高くなるという課題がある。また、電気回路の規模増大に応じてＯＮＵにおける消費電力も増大して、装置コストだけでなく運用コストも増大するため、光伝送システムにおけるＯＮＵ１台あたりのシステムコストが増加するという課題がある。【００１２】
本発明は、このような課題を解決するためになされたもので、その目的とするところは、光伝送システムにおけるＯＮＵ１台あたりのシステムコストを低減することにある。
【課題を解決するための手段】
【００１３】
このような目的を達成するために、本発明にかかる局側装置は、Ｎ（Ｎは２以上の整数）個の光スプリッタと、これら光スプリッタを介して接続された複数の加入者側装置と上位装置との間でフレームを転送処理する局側装置とを備える光伝送システムで用いられる前記局側装置であって、前記光スプリッタと１対１で接続されて、当該光スプリッタに接続された前記加入者側装置から前記上位装置への上りフレームの光電気変換を行うとともに、前記上位装置から前記加入者側装置への下りフレームの電気光変換を行うＮ個の光トランシーバと、前記上位装置との間で前記上りフレームおよび前記下りフレームをやり取りするとともに、前記加入者側装置のそれぞれから異なる時刻に前記上りフレームが送信されるよう、これら加入者側装置に対して上りフレーム送信用の通信帯域を時分割で割り当てるＰＯＮ制御回路と、時分割で到来する前記上りフレームに対応する前記光トランシーバを選択することにより、当該光トランシーバで光電変換された前記上りフレームを前記ＰＯＮ制御回路に転送するとともに、前記ＰＯＮ制御回路からの下りフレームを前記光トランシーバに分配する選択・分配回路と、前記光トランシーバのうち前記フレームの転送に使用されない光トランシーバのいずれか、および、前記選択・分配回路のうち前記フレームの転送に使用されない回路、のうち、少なくともいずれか一方に対する電源供給を停止する電源制御回路とを備えている。【００１４】
また、本発明にかかる光伝送システムは、Ｎ（Ｎは２以上の整数）個の光スプリッタと、これら光スプリッタを介して接続された複数の加入者側装置と上位装置との間でフレームを転送処理する局側装置とを備える光伝送システムであって、前記局側装置が、前出したいずれかの局側装置からなるものである。
【発明の効果】
【００１５】
本発明によれば、ＯＬＴにおいて、最大Ｎ×３２台のＯＮＵが収容されるとともに、これらＯＮＵから送信された上りフレームの転送に使用されない回路の一部または全部に対する電源供給が停止される。したがって、光伝送システムにおけるＯＮＵ１台あたりの装置コストを削減することができるとともに、ＯＬＴにおける消費電力の低減により運用コストを削減することができ、結果として、これら装置コストと運用コストを含む、光伝送システムにおけるＯＮＵ１台あたりのシステムコストを低減することが可能となる。
【図面の簡単な説明】
【００１６】
【図１】図１は、第１の実施の形態にかかる光伝送システムおよびＯＬＴの構成を示すブロック図である。
【図２】図２は、第２の実施の形態にかかる光伝送システムおよびＯＬＴの構成を示すブロック図である。
【図３Ａ】図３Ａは、第２の実施の形態にかかる選択回路の構成例である。
【図３Ｂ】図３Ｂは、第２の実施の形態にかかる分配回路の構成例である。
【図３Ｃ】図３Ｃは、第２の実施の形態にかかる選択回路および電源制御回路の構成例である。
【図４】図４は、第２の実施の形態にかかる選択回路（セレクタ）の構成例である。
【図５Ａ】図５Ａは、第２の実施の形態にかかる選択回路（１０Ｇ／１Ｇ切替方式）の構成例である。
【図５Ｂ】図５Ｂは、第２の実施の形態にかかる分配回路（１０Ｇ／１Ｇ切替方式）の構成例である。
【図６】図６は、第２の実施の形態にかかる選択回路（１０Ｇ／１Ｇ並列方式）の構成例である。
【図７】図７は、第３の実施の形態にかかる選択回路の構成例である。
【図８】図８は、第４の実施の形態にかかる光伝送システムおよびＯＬＴの構成を示すブロック図である。
【図９Ａ】図９Ａは、第４の実施の形態にかかる選択回路の構成例である。
【図９Ｂ】図９Ｂは、第４の実施の形態にかかる分配回路の構成例である。
【図１０】図１０は、第５の実施の形態にかかる光伝送システムおよびＯＬＴの構成を示すブロック図である。
【図１１】図１１は、第５の実施の形態にかかる選択回路および電源制御回路の構成例である。
【図１２】図１２は、第６の実施の形態にかかる光伝送システムおよびＯＬＴの構成を示すブロック図である。
【図１３Ａ】図１３Ａは、第６の実施の形態にかかる選択回路および電源制御回路の構成例である。
【図１３Ｂ】図１３Ｂは、図１３Ａの電源制御回路の動作を示すタイミングチャートである。
【図１４Ａ】図１４Ａは、第６の実施の形態にかかる選択回路および電源制御回路の他の構成例である。
【図１４Ｂ】図１４Ｂは、図１４Ａの電源制御回路の動作を示すタイミングチャートである。
【図１５】図１５は、第７の実施の形態にかかるＯＬＴの構成を示すブロック図である。
【図１６】図１６は、第８の実施の形態にかかるＯＬＴの構成を示すブロック図である。
【図１７】図１７は、従来のＧＥ−ＰＯＮシステムを示す構成例である。
【図１８】図１８は、従来のＧＥ−ＰＯＮシステムを示す他の構成例である。
【発明を実施するための形態】
【００１７】
次に、本発明の実施の形態について図面を参照して説明する。
［第１の実施の形態］
まず、図１を参照して、本発明の第１の実施の形態にかかる光伝送システム１００およびＯＬＴ（局側装置）１について説明する。図１は、第１の実施の形態にかかる光伝送システムおよびＯＬＴの構成を示すブロック図である。
【００１８】
光伝送システム１００は、例えばＦＴＴＨ（Fiber To The Home）で利用される光通信システムであり、光通信網４を介してＯＬＴ（局側装置：Optical Line Terminal）１に接続された複数のＯＮＵ（加入者側装置：Optical Network Unit）を、ＯＬＴ１により上位装置（図示せず）と中継接続することにより、各ＯＮＵ３と上位装置との間でフレームを相互に転送する機能を有している。
【００１９】
このような光伝送システム１００では、ＯＬＴ１とＯＮＵ３との間については、光スプリッタ２および光ファイバＦ１，Ｆ２を介して光信号を送受信することによりフレーム通信を行い、ＯＬＴ１と上位装置との間については、例えばインターネットなどの上位ネットワーク（図示せず）を介してフレーム通信を行うものとなっている。
【００２０】
光通信網４の具体例としては、ＩＥＥＥ  ８０２．３ａｈで標準化されているＧＥ−ＰＯＮやＩＥＥＥ８０２．３ａｖで標準化されている１０Ｇ−ＥＰＯＮなどのＰＯＮ（Passive Optical Network）システムがある。
本発明では、光伝送システム１００が、光通信網４としてＧＥ−ＰＯＮや１０Ｇ−ＥＰＯＮなどのＰＯＮを用いたＧＥ−ＰＯＮシステムや１０Ｇ−ＥＰＯＮシステムからなる場合を例として説明するが、これらに限定されるものではなく、他の光通信網を用いた光伝送システムに適用することも可能である。
【００２１】
［光伝送システム］
図１に示すように、本発明にかかる光伝送システム１００は、ＯＬＴ（局側装置）１、光スプリッタ２、およびＯＮＵ（加入者側装置）３から構成されている。
ＯＬＴ１には、光スプリッタ２および光ファイバＦ１，Ｆ２を介して接続された複数のＯＮＵ３が収容されている。このうち、１つの光トランシーバ１１（ＴＲ＃１〜ＴＲ＃Ｎ）は、光ファイバＦ１を介して対応する１つの光スプリッタ２（ＳＰ＃１〜ＳＰ＃Ｎ）に接続され、１つの光スプリッタ２（ＳＰ＃１〜ＳＰ＃Ｎ）には光ファイバＦ２を介して最大で３２台のＯＮＵ３が共通接続される。これにより、Ｎ個の光トランシーバ１１（ＴＲ＃１〜ＴＲ＃Ｎ）を有するＯＬＴ１には、全体で最大Ｎ×３２台のＯＮＵ３が接続できることになる。
【００２２】
［ＯＬＴ］
図１に示すように、ＯＬＴ１には、主な回路部として、Ｎ（Ｎ≧２：Ｎは２以上の整数）個の光トランシーバ１１（ＴＲ＃１〜ＴＲ＃Ｎ）と、１個のＰＯＮ制御回路１２と、１つの選択・分配回路１３とが設けられている。
【００２３】
光トランシーバ１１（ＴＲ＃１〜ＴＲ＃Ｎ）は、光ファイバＦ１を介して光スプリッタ２（ＳＰ＃１〜ＳＰ＃Ｎ）と１対１で接続されて、対応する光スプリッタ２（ＳＰ＃１〜ＳＰ＃Ｎ）に接続されたＯＮＵ３から上位装置（図示せず）への上りフレームの光電気変換を行う機能と、上位装置からＯＮＵ３への下りフレームの電気光変換とを行う機能とを有している。
【００２４】
ＰＯＮ制御回路１２は、上位ネットワークとの間で電気信号を送受信することにより、上位装置との間で上りフレームおよび下りフレームをやり取りする機能と、各ＯＮＵ３から異なる時刻に上りフレームが送信されるよう、これら各ＯＮＵ３に対して上りフレーム送信用の通信帯域を時分割で割り当てる機能とを有している。
【００２５】
選択・分配回路１３は、各ＯＮＵ３から時分割で到来する上りフレームに対応する光トランシーバ１１（ＴＲ＃１〜ＴＲ＃Ｎ）を選択することにより、選択したトランシーバ１１で光電変換された上りフレームをＰＯＮ制御回路１２に転送する機能と、ＰＯＮ制御回路１２で受信した上位装置からの下りフレームを各光トランシーバ１１（ＴＲ＃１〜ＴＲ＃Ｎ）に分配する機能とを有している。
【００２６】
本実施の形態にかかる光伝送システム１００と、前述の図１８に示した従来のＧＥ−ＰＯＮシステムとの構成上の違いは、ＰＯＮ制御回路１２が１個とされ、この１個のＰＯＮ制御回路１２とＮ個の光トランシーバ１１（ＴＲ＃１〜ＴＲ＃Ｎ）との間に１つの選択・分配回路１３が設けられていることである。
図１に示すように、本実施の形態にかかる選択・分配回路１３には、主な回路部として、選択回路２１、分配回路２２、および電源制御回路２３が設けられている。
【００２７】
選択回路２１は、各光トランシーバ１１（ＴＲ＃１〜ＴＲ＃Ｎ）から出力された上りフレーム出力ＲＸのいずれか１つを選択してＰＯＮ制御回路１２へ出力する機能を有している。
分配回路２２は、ＰＯＮ制御回路１２から出力された下りフレームを各光トランシーバ１１（ＴＲ＃１〜ＴＲ＃Ｎ）へ分配する機能を有している。
【００２８】
電源制御回路２３は、フレームの転送に使用されない光トランシーバ１１のいずれか、および、選択・分配回路１３のうち上りフレームや下りフレームの転送に使用されない回路、のうち、少なくともいずれか一方に対する電源供給を停止する機能を有している。
なお、本実施の形態では、選択回路２１と分配回路２２とが独立した回路として説明するが、これらは一体の回路として実現してもよい。また、電源制御回路２３は、選択・分配回路１３内であって、かつ、選択回路２１とは独立した回路として説明するが、これらは一体の回路として実現してもよい。
【００２９】
［第１の実施の形態の効果］
このように、本実施の形態は、Ｎ個の光トランシーバ１１と１個のＰＯＮ制御回路１２との間に選択・分配回路１３を設け、選択・分配回路１３が、時分割で到来する上りフレームに対応する光トランシーバ１１を選択することにより、当該トランシーバ１１で光電変換された上りフレームをＰＯＮ制御回路１２に転送するとともに、ＰＯＮ制御回路１２からの下りフレームを各光トランシーバ１１に分配し、電源制御回路２３が、各光トランシーバ１１のうちフレームの転送に使用されていない光トランシーバ１１のいずれか、および、選択・分配回路１３のうちフレームの転送に使用されていない回路のうち、少なくともいずれか一方に対する電源供給を停止するようにしたものである。
【００３０】
これにより、ＯＬＴ１において、最大Ｎ×３２台のＯＮＵ３が収容されるとともに、上りフレームや下りフレームの転送に使用されない光トランシーバ１１や、選択・分配回路１３内の回路に対する電源供給が停止される。
したがって、光伝送システム１００におけるＯＮＵ１台あたりの装置コストを削減することができるとともに、ＯＬＴ１における消費電力の低減により運用コストを削減することができ、結果として、これら装置コストと運用コストを含む、光伝送システムにおけるＯＮＵ１台あたりのシステムコストを低減することが可能となる。
【００３１】
［第２の実施の形態］
次に、図２を参照して、本発明の第１の実施の形態にかかる光伝送システム１００およびＯＬＴ（局側装置）１について説明する。図２は、第２の実施の形態にかかる光伝送システムおよびＯＬＴの構成を示すブロック図である。
【００３２】
本実施の形態は、前述した第１の実施の形態における電源供給制御の具体例として、電源制御回路２３が、光トランシーバ１１に関する運用状況ＰＳに基づいて、これら光トランシーバ１１のうち休止中に設定されている休止光トランシーバ１１に対する電源供給を停止するようにしたものである。
【００３３】
［選択・分配回路の構成例１］
まず、図３Ａおよび図３Ｂを参照して、本実施の形態にかかる選択・分配回路１３の構成例１について説明する。
図３Ａは、第２の実施の形態にかかる選択回路の構成例である。この選択回路２１には、主な回路部として、Ｎ個の光トランシーバ１１（ＴＲ＃１〜ＴＲ＃Ｎ）にそれぞれ対応するＮ個のＡＮＤ回路（ＡＮＤ＃１〜ＡＮＤ＃Ｎ）およびバッファ回路（ＢＵＦ＃１〜ＢＵＦ＃Ｎ）と、１つのＮ入力ＯＲ回路（ＯＲ）とが設けられている。
【００３４】
ＡＮＤ回路（ＡＮＤ＃１〜ＡＮＤ＃Ｎ）は、一般的なＡＮＤゲートからなり、対応する光トランシーバ１１（ＴＲ＃１〜ＴＲ＃Ｎ）から出力された、上りフレーム出力ＲＸとＬＯＳ出力（反転値）とを入力として、これら上りフレーム出力ＲＸとＬＯＳ出力の反転値との論理積を出力する機能を有している。
ここで、ＬＯＳ出力は、光トランシーバ１１（ＴＲ＃１〜ＴＲ＃Ｎ）に光スプリッタ２からの光信号が入力されているか否かを示す負論理の信号であり、光信号が入力されていない場合は「１」となり、光信号が入力されている場合は「０」となる。
【００３５】
これにより、ＬＯＳ出力が「０」であり光信号が入力されている場合、入力された上りフレーム出力ＲＸがＡＮＤ回路（ＡＮＤ＃１〜ＡＮＤ＃Ｎ）から出力され、ＬＯＳ出力が「１」であり光信号が入力されていない場合、ＡＮＤ回路（ＡＮＤ＃１〜ＡＮＤ＃Ｎ）により上りフレーム出力ＲＸの出力が停止されて「０」が出力される。
したがって、各ＡＮＤ回路（ＡＮＤ＃１〜ＡＮＤ＃Ｎ）では、対応する光トランシーバ１１（ＴＲ＃１〜ＴＲ＃Ｎ）から出力された上りフレーム出力ＲＸが、ＬＯＳ出力（反転値）でマスク（ゲーティング）されることになる。
【００３６】
ＯＲ回路（ＯＲ）は、一般的なＮ入力のＯＲゲートからなり、ＡＮＤ回路（ＡＮＤ＃１〜ＡＮＤ＃Ｎ）からのＮ個の論理積出力の論理和を上りフレーム出力ＲＤとしてＰＯＮ制御回路１２に対して出力する機能を有している。
これにより、光トランシーバ１１（ＴＲ＃１〜ＴＲ＃Ｎ）のうち、光信号が入力されているＴＲ＃ｉ（ｉは１〜Ｎの整数）からの上りフレーム出力ＲＸが、いずれか対応するＡＮＤ回路（ＡＮＤ＃１〜ＡＮＤ＃Ｎ）を介してＯＲ回路（ＯＲ）に入力され、その論理和が上りフレーム出力ＲＤとして出力されることになる。
【００３７】
したがって、各上りフレーム出力ＲＸを正しく受信するためには、ＯＲ回路（ＯＲ）に対して、複数の光トランシーバ１１（ＴＲ＃１〜ＴＲ＃Ｎ）からの上りフレーム出力ＲＸが同時に入力されないよう、各ＡＮＤ回路（ＡＮＤ＃１〜ＡＮＤ＃Ｎ）でこれら上りフレーム出力ＲＸを時分割でマスクする必要がある。
これについては、ＰＯＮ制御回路１２が、各光スプリッタ２を介してＯＬＴ１とセッションを接続確立しているすべてのＯＮＵ３に対して、同時に発光（上りフレーム送信）しないように、時分割制御することにより実現できる。
【００３８】
従来のＰＯＮシステムでは、１つの光スプリッタに接続されている複数のＯＮＵが同時に発光（上りフレーム送信）しないように、例えば動的帯域割当（ＤＢＡ：Dynamic Bandwidth Allocation）などのアルゴリズムにより、ＯＬＴが各ＯＮＵに対して上り帯域割当（grant割当）を行うものとなっている。
【００３９】
本実施の形態のＯＬＴ１では、このようなアルゴリズムを応用して、ＰＯＮ制御回路１２において、Ｎ個の光スプリッタ２（ＳＰ＃１〜ＳＰ＃Ｎ）に接続されている最大Ｎ×３２個のＯＮＵ３のうち、ＯＬＴ１とセッションを接続確立しているすべてのＯＮＵ３に対して、これらＯＮＵ３から異なる時刻に発光（上りフレーム送信）されるよう、上りフレーム送信用の通信帯域を時分割で割り当てる上り帯域割当（grant割当）を行う。
これにより、各ＯＮＵ３のうち１台のＯＮＵ３だけが発光（上りフレーム送信）し、当該ＯＮＵ３を収容する１つの光トランシーバ１１からのＬＯＳ出力のみが「０」となる。
【００４０】
なお、新しいＯＮＵ３の接続の要求等に使用される制御用フレームである登録要求（Register Request）フレームについては、ＩＥＥＥ規格で、複数のＯＮＵ３が同時に発光（上りフレーム送信）することを許容しているため、登録要求（Register Request）フレームの送信が許可されている期間（Discovery Window）については、複数の光トランシーバ１１のＬＯＳ出力が同時に０になる可能性が有り、同時に０になった場合にはＰＯＮ制御回路１２で登録要求（Register Request）フレームを正常に受信できないことがある。
【００４１】
しかし、登録要求（Register Request）フレームの送信が許可されている期間（Discovery Window）については、従来のＰＯＮシステムでも、同じ光スプリッタに接続されている複数のＯＮＵが同時に登録要求（Register Request）フレームを送信する可能性があり、そのような場合、ＯＬＴ１は正常受信できない登録要求（Register Request）フレームを無視（破棄）して良いという仕様となっている。本実施の形態のＯＬＴ１においても、ＰＯＮ制御回路１２において正常受信できない登録要求（Register Request）フレームを無視（破棄）して良いという仕様とする。
【００４２】
図３Ｂは、第２の実施の形態にかかる分配回路の構成例である。この分配回路２２には、主な回路部として、ＰＯＮ制御回路１２から出力された下りフレーム出力ＴＤを、Ｎ個の光トランシーバ１１（ＴＲ＃１〜ＴＲ＃Ｎ）に対して並列的に下りフレーム出力ＴＸとして分配するバッファ回路ＢＵＦが設けられている。これにより、ＰＯＮ制御回路１２から下りフレーム出力ＴＤが、バッファ回路から各光トランシーバ１１（ＴＲ＃１〜ＴＲ＃Ｎ）に対して並列的に下りフレーム出力ＴＸとして分配される。
【００４３】
この際、各光トランシーバ１１（ＴＲ＃１〜ＴＲ＃Ｎ）を介して各ＯＮＵ３に対し、下りフレームが同時に分配されるが、各ＯＮＵ３では、ＯＬＴ１から受信した下りフレームの宛先を確認し、自己宛てではない下りフレームを破棄する。このため、各ＯＮＵ３に下りフレームが同時に分配されても、誤って受信処理されることはない。この仕組みについては、従来のＰＯＮシステムと同様である。
【００４４】
ＰＯＮ制御回路１２は、上述した様に、各光スプリッタ２（ＳＰ＃１〜ＳＰ＃Ｎ）に接続されているすべてのＯＮＵ３に対して、複数のＯＮＵ３が同時に発光（上りフレーム送信）しないように、上り帯域割当（grant割当）を行う機能のほか、従来のＰＯＮ制御回路と同様、上りフレームおよび下りフレームの転送処理を行う機能を有している。
また、光トランシーバ１１として従来のＰＯＮシステムと同様のものを用いた場合、本実施の形態のＯＬＴ１は、最大で「Ｎ×３２」台のＯＮＵ３との通信が可能となる。例えば、Ｎ＝４の場合は最大１２８台、Ｎ＝１６の場合は最大５１２台のＯＮＵ３との通信が可能となる。
【００４５】
［選択・分配回路の構成例２］
次に、図３Ｃを参照して、本実施の形態にかかる選択・分配回路１３の構成例２について説明する。
図３Ａの選択回路２１に、電源制御回路２３を設けた場合、上りフレームが到来していない光トランシーバ１１（ＴＲ＃１〜ＴＲ＃Ｎ）に対応する回路部への電源供給を停止することができ、消費電力を削減できる。
図３Ｃは、第２の実施の形態にかかる選択回路および電源制御回路の構成例であり、図３Ａの選択回路２１に対して電源制御回路２３を設けた構成例が示されている。なお、分配回路２２は、図３Ｂに示した構成例でよい。
【００４６】
選択回路２１は、光トランシーバ１１（ＴＲ＃１〜ＴＲ＃Ｎ）ごとに設けられたＮ個のバッファ回路（ＢＵＦ＃１〜ＢＵＦ＃Ｎ）により、当該光トランシーバ１１（ＴＲ＃１〜ＴＲ＃Ｎ）で光電気変換された上りフレームの信号を増幅出力し、これらバッファ回路（ＢＵＦ＃１〜ＢＵＦ＃Ｎ）から出力された上りフレームの信号の論理和出力をＯＲ回路（ＯＲ）により生成し、ＰＯＮ制御回路１２に出力する機能を有している。
【００４７】
電源制御回路２３は、光トランシーバ１１（ＴＲ＃１〜ＴＲ＃Ｎ）ごとに設定されているＰＯＮ制御回路１２からの運用状況ＰＳに基づいて、これら光トランシーバ１１（ＴＲ＃１〜ＴＲ＃Ｎ）のうち休止中に設定されている休止光トランシーバ１１に対する電源供給を停止する機能と、選択回路２１のうち当該休止光トランシーバ１１から出力される上りフレームの転送に使用される回路の一部または全部に対する電源供給を停止する機能とを有している。
【００４８】
図３Ｃに示すように、電源制御回路２３には、主な回路部として、第１の電源スイッチ（ＳＷＡ＃１〜ＳＷＡ＃Ｎ）、第２の電源スイッチ（ＳＷＢ＃１〜ＳＷＢ＃Ｎ）、および電源スイッチ制御回路２３Ａが設けられている。
第１の電源スイッチ（ＳＷＡ＃１〜ＳＷＡ＃Ｎ）は、光トランシーバ１１（ＴＲ＃１〜ＴＲ＃Ｎ）ごとに設けられて、電源スイッチ制御回路２３Ａからの指示に応じて、動作電位Ｖｃｃと接地電位ＧＮＤのいずれかを、対応する光トランシーバ１１（ＴＲ＃１〜ＴＲ＃Ｎ）へ切替供給する機能を有している。
【００４９】
第２の電源スイッチ（ＳＷＢ＃１〜ＳＷＢ＃Ｎ）は、光トランシーバ１１（ＴＲ＃１〜ＴＲ＃Ｎ）ごとに設けられて、電源スイッチ制御回路２３Ａからの指示に応じて、動作電位Ｖｃｃと接地電位ＧＮＤのいずれかを、選択回路２１のうち当該光トランシーバ１１（ＴＲ＃１〜ＴＲ＃Ｎ）と対応する回路部、例えばバッファ回路（ＢＵＦ＃１〜ＢＵＦ＃Ｎ）に切替供給する機能を有している。
【００５０】
電源スイッチ制御回路２３Ａは、光トランシーバ１１（ＴＲ＃１〜ＴＲ＃Ｎ）のうち、運用状況ＰＳが運用中を示すＴＲ＃ｉ（ｉは１〜Ｎの整数）については、対応する第１の電源スイッチ（ＳＷＡ＃ｉ）および第２の電源スイッチ（ＳＷＢ＃ｉ）に対して電源供給を指示する機能と、運用状況ＰＳが休止中を示すＴＲ＃ｊ（ｊは１〜Ｎの整数）については、対応する第１の電源スイッチ（ＳＷＡ＃ｊ）および第２の電源スイッチ（ＳＷＢ＃ｊ）に対して電源供給の停止を指示する機能とを有している。
【００５１】
運用状況ＰＳは、各光トランシーバ１１（ＴＲ＃１〜ＴＲ＃Ｎ）の運用状態を示す設定情報であり、ＯＬＴ１に接続されたＰＣなどの外部装置からオペレータにより予め設定される。ＯＬＴ１の設置環境によっては、収容すべきＯＮＵ３の台数が少なく、各光トランシーバ１１（ＴＲ＃１〜ＴＲ＃Ｎ）のうち、ＯＮＵ３によるフレーム通信に使用されない光トランシーバ１１が発生することがある。このような場合には、ＯＮＵ３によるフレーム通信に使用されている光トランシーバ１１の運用状況ＰＳが使用中と設定され、ＯＮＵ３によるフレーム通信に使用されていない光トランシーバ１１の運用状況ＰＳが休止中と設定される。これら運用状況ＰＳについては、ＰＯＮ制御回路１２で管理し、その内部メモリで記憶するものとするが、例えば選択・分配回路１３など、ＯＬＴ１内の他の回路部で管理記憶してもよい。
【００５２】
一方、光トランシーバ１１（ＴＲ＃１〜ＴＲ＃Ｎ）は、対応する第１の電源スイッチ（ＳＷＡ＃１〜ＳＷＡ＃Ｎ）から動作電位Ｖｃｃが供給された場合、接続されている光スプリッタ２との間で光通信動作を行う機能と、第１の電源スイッチ（ＳＷＡ＃１〜ＳＷＡ＃Ｎ）から接地電位ＧＮＤが供給された場合、光通信動作を停止する機能とを有している。
【００５３】
また、バッファ回路（ＢＵＦ＃１〜ＢＵＦ＃Ｎ）は、オペアンプなどの増幅回路からなり、対応する第２の電源スイッチ（ＳＷＢ＃１〜ＳＷＢ＃Ｎ）から動作電位Ｖｃｃが供給された場合、光トランシーバ１１（ＴＲ＃１〜ＴＲ＃Ｎ）から入力された上りフレームの信号を増幅して、ＯＲ回路（ＯＲ）に出力する機能と、第２の電源スイッチ（ＳＷＢ＃１〜ＳＷＢ＃Ｎ）から接地電位ＧＮＤが供給された場合、増幅動作を停止して接地電位（ＧＮＤ）を出力する機能とを有している。
【００５４】
したがって、光トランシーバ１１（ＴＲ＃１〜ＴＲ＃Ｎ）のうち、運用状況ＰＳが運用中を示すＴＲ＃ｊ（ｊは１〜Ｎの整数）については、電源スイッチ制御回路２３Ａからの指示に応じて、対応するＳＷＡ＃ｊから当該ＴＲ＃ｊに対して動作電位Ｖｃｃが供給されるとともに、ＳＷＢ＃ｊから当該ＴＲ＃ｊに対応するＢＵＦ＃ｊに対して動作電位Ｖｃｃが供給される。
【００５５】
また、光トランシーバ１１（ＴＲ＃１〜ＴＲ＃Ｎ）のうち、運用状況ＰＳが休止中を示すＴＲ＃ｉについては、電源スイッチ制御回路２３Ａからの指示に応じて、対応するＳＷＡ＃ｉから当該ＴＲ＃ｉに対して接地電位ＧＮＤが供給されるとともに、ＳＷＢ＃ｉから当該ＴＲ＃ｉに対応するＢＵＦ＃ｉに対して接地電位ＧＮＤが供給される。これにより、休止中のＴＲ＃ｉおよびこれに対応するＢＵＦ＃ｉへの電源供給が停止されて、これら回路部での消費電力が削減されることになる。
【００５６】
以上では、各光トランシーバ１１（ＴＲ＃１〜ＴＲ＃Ｎ）の運用状況ＰＳに応じて、光トランシーバ１１（ＴＲ＃１〜ＴＲ＃Ｎ）およびこれに対応するバッファ回路（ＢＵＦ＃１〜ＢＵＦ＃Ｎ）への電源供給を制御する場合について説明したが、これに加えて、各ＯＮＵ３に対して時分割で割り当てた上り帯域割当状況ＵＳに基づいて、バッファ回路（ＢＵＦ＃１〜ＢＵＦ＃Ｎ）への電源供給を制御してもよい。
【００５７】
上り帯域割当状況ＵＳは、各ＯＮＵ３に対して時分割で割り当てた上りフレーム送信用通信帯域の割当状況に基づいて、光トランシーバ１１（ＴＲ＃１〜ＴＲ＃Ｎ）ごとにＰＯＮ制御回路１２が生成した、当該ＴＲ＃ｉに接続されている各ＯＮＵ３から時分割で到来する上りフレームの到来期間を示す情報である。この上り帯域割当状況ＵＳは、例えば、各ＯＮＵ３からの上りフレーム到着時刻Ｔｓと上りフレーム長Ｔｌとからなり、光トランシーバ１１（ＴＲ＃１〜ＴＲ＃Ｎ）ごとに出力される。
【００５８】
電源スイッチ制御回路２３Ａは、この上り帯域割当状況ＵＳに基づいて、各光トランシーバ１１（ＴＲ＃１〜ＴＲ＃Ｎ）への上りフレームの到来期間に合わせて、当該ＴＲ＃ｉに対応するＢＵＦ＃ｉに電源供給するよう、当該光トランシーバ１１に対応するＳＷＢ＃ｉに対して指示すればよい。
これにより、光トランシーバ１１（ＴＲ＃１〜ＴＲ＃Ｎ）のうち運用中のＴＲ＃ｉに対応するＢＵＦ＃ｉに対して、上りフレームが到来する期間には、ＳＷＢ＃ｉから動作電位Ｖｃｃが供給され、上りフレームが到来しない期間には、ＳＷＢ＃ｉからＢＵＦ＃ｉに対する動作電位Ｖｃｃの供給が停止される。
【００５９】
したがって、上りフレームが到来していないバッファ回路（ＢＵＦ＃１〜ＢＵＦ＃Ｎ）に対しては、動作電位Ｖｃｃの供給が停止されるため、無駄な電力消費が抑止され、選択回路２１における消費電力が削減される。また、図３ＡのＡＮＤ回路（ＡＮＤ＃１〜ＡＮＤ＃Ｎ）に代えて、バッファ回路（ＢＵＦ＃１〜ＢＵＦ＃Ｎ）により、上りフレーム出力ＲＸが、上り帯域割当状況ＵＳでマスク（ゲーティング）されることになる。
【００６０】
［選択・分配回路の構成例３］
次に、図４を参照して、本実施の形態にかかる選択・分配回路１３の構成例３について説明する。
図３Ａに示した選択回路２１では、ＡＮＤ回路およびＯＲ回路を用いた構成例を説明したが、これらＡＮＤ回路およびＯＲ回路に代えてセレクタ（ＳＥＬ）を用いて選択回路２１を構成することもできる。
図４は、第２の実施の形態にかかる選択回路（セレクタ）の構成例であり、ここには、多段接続された２入力のセレクタ（ＳＥＬ）を用いた選択回路２１の構成例が示されている。なお、分配回路２２は、図３Ｂに示した構成例でよい。
【００６１】
この選択回路２１は、ＯＬＴ１に８個の光トランシーバ１１（ＴＲ＃１〜ＴＲ＃８）を設けた場合を前提としており、いずれか一方の入力を選択出力する７個の２入力のセレクタ（ＳＥＬ＃１〜ＳＥＬ＃７）がツリー形状に３段接続されている。ＡＮＤ回路（＃１〜＃４）は、各光トランシーバ１１（ＴＲ＃１〜ＴＲ＃４，ＴＲ＃６〜ＴＲ＃８）からのＬＯＳ出力に基づいて、ＳＥＬ＃５〜＃７の切替信号を生成する。
【００６２】
これらセレクタ（ＳＥＬ＃１〜ＳＥＬ＃７）のうち、最下段のセレクタ（ＳＥＬ＃１〜ＳＥＬ＃４）が光トランシーバ１１（ＴＲ＃１〜ＴＲ＃８）からの上りフレームを入力とし、次段以降のセレクタ（ＳＥＬ＃５〜ＳＥＬ＃６）がその直前段のセレクタ（ＳＥＬ＃１〜ＳＥＬ＃４）からの選択出力を入力とし、最上段のセレクタ（ＳＥＬ＃７）がその直前段の２つのセレクタ（ＳＥＬ＃５〜ＳＥＬ＃６）のうちいずれか一方の選択出力を選択してＰＯＮ制御回路１２に出力するものとなっている。
【００６３】
具体的には、ＴＲ＃１〜ＴＲ＃８からの上りフレーム出力ＲＸを２つずつ入力とするＳＥＬ＃１〜ＳＥＬ＃４が１段目、ＳＥＬ＃１〜ＳＥＬ＃４からの選択出力を２つずつ入力とするＳＥＬ＃５〜ＳＥＬ＃６が２段目、ＳＥＬ＃５〜ＳＥＬ＃６からの２つの選択出力を入力とするＳＥＬ＃７が３段目に接続されている。
このうち、ＴＲ＃２，ＴＲ＃４，ＴＲ＃６，ＴＲ＃８のＬＯＳ出力がＳＥＬ＃１〜ＳＥＬ＃４に切替信号として入力されている。また、ＡＮＤ＃２から出力されたＴＲ＃３〜ＴＲ＃４からのＬＯＳ出力の論理積出力がＳＥＬ＃５に切替信号として入力されている。
【００６４】
また、ＡＮＤ＃３から出力されたＴＲ＃７〜ＴＲ＃８からのＬＯＳ出力の論理積出力がＳＥＬ＃６に切替信号として入力されている。また、ＡＮＤ＃１から出力されたＴＲ＃１〜ＴＲ＃２からのＬＯＳ出力の論理積出力と、ＡＮＤ＃２からの論理積出力とを入力とするＡＮＤ＃４からの論理和出力がＳＥＬ＃７に切替信号として入力されている。
【００６５】
前述したＰＯＮ制御回路１２の上り帯域割当により、いずれか１つのＯＮＵ３のみが時分割で発光（上りフレーム送信）するため、ＴＲ＃１〜ＴＲ＃８からのＬＯＳ出力は、いずれか１個が「０」となるか、あるいはすべてが「１」となる。
したがって、例えば、ＴＲ＃５のＬＯＳ出力のみが「０」の場合、ＴＲ＃５の出力がＰＯＮ制御回路１２に対して出力される。また、ＴＲ＃４のＬＯＳ出力のみが「０」の場合は、ＳＥＬ＃２，ＳＥＬ＃５、ＳＥＬ＃７が「０」側の入力を選択して出力するので、ＴＲ＃４からの上りフレーム出力ＲＸが、ＳＥＬ＃２，ＳＥＬ＃５，ＳＥＬ＃７を通過し、ＰＯＮ制御回路１２に上りフレーム出力ＲＤとして出力される。
【００６６】
その他のＴＲ＃１〜ＴＲ＃３，ＴＲ＃６〜ＴＲ＃８についても、いずれか１個のＴＲのＬＯＳ出力のみが０になった場合には、それぞれ対応するＳＥＬ＃１〜ＳＥＬ＃７が「０」側の入力を選択して出力することにより、ＬＯＳ出力が「０」となっているＴＲの出力がＰＯＮ制御回路１２に対して出力される。
一方、ＴＲ＃１〜ＴＲ＃４，ＴＲ＃６〜ＴＲ＃８のＬＯＳ出力が１の場合、各ＳＥＬ＃１〜ＳＥＬ＃７は「１」側の入力を選択出力する。このため、ＴＲ＃５からの上りフレーム出力ＲＸが、ＳＥＬ＃３，ＳＥＬ＃６，ＳＥＬ＃７を通過し、ＰＯＮ制御回路１２に上りフレーム出力ＲＤとして出力される。この場合、ＴＲ＃５に光信号が届いていないと、上りフレーム出力ＲＸは無効なデータとなる。
【００６７】
［選択・分配回路の構成例４］
次に、図５Ａ，図５Ｂを参照して、本実施の形態にかかる選択・分配回路１３の構成例４について説明する。
図２に示したＯＬＴ１の構成を１０Ｇ−ＥＰＯＮシステムに適用する場合は、以下の点を考慮する必要が有る。（１）１０Ｇ−ＥＰＯＮ用の光トランシーバ１１が、上りフレーム出力ＲＸとして、１０Ｇｂｉｔ／ｓの出力と１Ｇｂｉｔ／ｓの出力の２つの出力を持っている場合が有る。（２）１０Ｇ−ＥＰＯＮ用のＯＮＵ３とＧＥ−ＰＯＮ用のＯＮＵ３の両方を同じＯＬＴ１に接続する場合、ＰＯＮ制御回路１２は下りフレーム出力ＴＤとして、１０Ｇｂｉｔ／ｓの出力と１Ｇｂｉｔ／ｓの出力の２つの出力を持ち、両方の出力をすべての光トランシーバ１１に対して出力（分配）する必要がある。
【００６８】
図５Ａは、第２の実施の形態にかかる選択回路（１０Ｇ／１Ｇ切替方式）の構成例であり、ここでは、図３Ａの選択回路２１を１０Ｇ−ＥＰＯＮシステムに適用する場合の構成例が示されている。
【００６９】
この選択回路２１には、主な回路部として、図３ＡのＡＮＤ回路（ＡＮＤ＃１〜ＡＮＤ＃Ｎ）、バッファ回路（ＢＵＦ＃１〜ＢＵＦ＃Ｎ）、およびＮ入力のＯＲ回路（ＯＲ）に加え、Ｎ個の光トランシーバ１１（ＴＲ＃１〜ＴＲ＃Ｎ）にそれぞれ対応するＮ個のセレクタ（ＳＥＬ＃１〜ＳＥＬ＃Ｎ）が設けられている。セレクタ（ＳＥＬ＃１〜ＳＥＬ＃Ｎ）は、ＰＯＮ制御回路１２から出力された１０Ｇ／１Ｇ選択信号に基づいて、対応する光トランシーバ１１（ＴＲ＃１〜ＴＲ＃Ｎ）から出力された１０Ｇｂｉｔ／ｓ用の上りフレーム出力ＲＸ＿１０Ｇと１Ｇｂｉｔ／ｓ用の上りフレーム出力ＲＸ＿１Ｇのいずれか一方を選択して、対応するバッファ回路（ＢＵＦ＃１〜ＢＵＦ＃Ｎ）へ出力する機能を有している。
【００７０】
この場合、ＯＬＴ１の各光トランシーバ１１（ＴＲ＃１〜ＴＲ＃Ｎ）は、上りフレームの出力ポートとして、１０Ｇｂｉｔ／ｓ用出力ポートと１Ｇｂｉｔ／ｓ用出力ポートとを備え、下りフレームの入力ポートとして、１０Ｇｂｉｔ／ｓ用入力ポートと１Ｇｂｉｔ／ｓ用入力ポートとを備えているものとする。また、ＬＯＳ出力は、１０Ｇｂｉｔ／ｓおよび１Ｇｂｉｔ／ｓにかかわらず、光スプリッタ２からの光信号の入力有無に応じて出力されるものとする。
【００７１】
また、ＯＬＴ１のＰＯＮ制御回路１２は、上りフレーム入力が１０Ｇｂｉｔ／ｓと１Ｇｂｉｔ／ｓの両方の入力に対応可能な構成とされており、下りフレームの出力ポートとして、１０Ｇｂｉｔ／ｓ用出力ポートと１Ｇｂｉｔ／ｓ用出力ポートとを備えているものとする。また、ＰＯＮ制御回路１２は、各ＯＮＵ３に対して上り帯域割当時に１０Ｇｂｉｔ／ｓでのフレーム送信を許可するのか、１Ｇｂｉｔ／ｓでのフレーム送信を許可するのかを認識しており、その伝送速度設定出力（１０Ｇ／１Ｇ）を選択・分配回路１３に出力する機能を有しているものとする。
【００７２】
これにより、ＯＮＵ３から送信された１０Ｇｂｉｔ／ｓの上りフレームは、光トランシーバ１１（ＴＲ＃１〜ＴＲ＃Ｎ）の１０Ｇｂｉｔ／ｓ用出力ポートから出力され、セレクタ（ＳＥＬ＃１〜ＳＥＬ＃Ｎ）を介して対応するバッファ回路（ＢＵＦ＃１〜ＢＵＦ＃Ｎ）へ出力された後、対応するＡＮＤ回路（ＡＮＤ＃１〜ＡＮＤ＃Ｎ）およびＯＲ回路（ＯＲ）を介して、ＰＯＮ制御回路１２へ出力される。また、ＯＮＵ３から送信された１Ｇｂｉｔ／ｓの上りフレームは、光トランシーバ１１（ＴＲ＃１〜ＴＲ＃Ｎ）の１Ｇｂｉｔ／ｓ用出力ポートから出力され、セレクタ（ＳＥＬ＃１〜ＳＥＬ＃Ｎ）を介して対応するバッファ回路（ＢＵＦ＃１〜ＢＵＦ＃Ｎ）へ出力された後、対応するＡＮＤ回路（ＡＮＤ＃１〜ＡＮＤ＃Ｎ）およびＯＲ回路（ＯＲ）を介して、ＰＯＮ制御回路１２へ出力される。
【００７３】
図５Ｂは、第２の実施の形態にかかる分配回路（１０Ｇ／１Ｇ切替方式）の構成例であり、ここでは、図５Ｂの分配回路２２を１０Ｇ−ＥＰＯＮシステムに適用する場合の構成例が示されている。
【００７４】
この分配回路２２には、主な回路部として、ＰＯＮ制御回路１２から出力された１０Ｇｂｉｔ／ｓ用の下りフレーム出力ＴＤ＿１０Ｇを、Ｎ個の光トランシーバ１１（ＴＲ＃１〜ＴＲ＃Ｎ）に対して並列的に１０Ｇｂｉｔ／ｓ用の下りフレーム出力ＴＸ＿１０Ｇとして分配するバッファ回路ＢＵＦ＃１と、ＰＯＮ制御回路１２から出力された１Ｇｂｉｔ／ｓ用の下りフレーム出力ＴＤ＿１Ｇを、Ｎ個の光トランシーバ１１（ＴＲ＃１〜ＴＲ＃Ｎ）に対して並列的に１Ｇｂｉｔ／ｓ用の下りフレーム出力ＴＸ＿１Ｇとして分配するバッファ回路ＢＵＦ＃２とが設けられている。
【００７５】
これにより、ＰＯＮ制御回路１２の１０Ｇｂｉｔ／ｓ用出力ポートから出力された下りフレーム出力ＴＤ＿１０Ｇは、ＢＵＦ＃１から各ＴＲ＃１〜ＴＲ＃Ｎの１０Ｇｂｉｔ／ｓ用入力ポートに対して並列的に下りフレーム出力ＴＸ＿１０Ｇとして分配される。また、ＰＯＮ制御回路１２の１Ｇｂｉｔ／ｓ用出力ポートから出力された下りフレーム出力ＴＤ＿１Ｇは、ＢＵＦ＃２から各ＴＲ＃１〜ＴＲ＃Ｎの１Ｇｂｉｔ／ｓ用入力ポートに対して並列的に下りフレーム出力ＴＸ＿１Ｇとして分配される。
【００７６】
［選択・分配回路の構成例５］
次に、図６を参照して、本実施の形態にかかる選択・分配回路１３の構成例５について説明する。
図２に示したＯＬＴ１の構成を１０Ｇ−ＥＰＯＮシステムに適用する場合、選択回路２１としては、前述した図５Ａ，図５Ｂの構成例に代えて、前述の図３Ａに示した選択回路２１からなる、１０Ｇｂｉｔ／ｓ用および１Ｇｂｉｔ／ｓ用の独立した２つの選択回路２１を並列的に設けてもよい。
図６は、第２の実施の形態にかかる選択回路（１０Ｇ／１Ｇ並列方式）の構成例であり、ここでは、前述の図３Ａに示した選択回路２１からなる１０Ｇｂｉｔ／ｓ用選択回路２１Ａと、前述の図３Ａに示した選択回路２１からなる１Ｇｂｉｔ／ｓ用選択回路２１Ｂとが並列的に設けられている。なお、分配回路２２は、図５Ｂに示した構成例でよい。
【００７７】
１０Ｇｂｉｔ／ｓ用選択回路２１Ａは、各光トランシーバ１１（ＴＲ＃１〜ＴＲ＃Ｎ）から出力された１０Ｇｂｉｔ／ｓ用の上りフレーム出力ＲＸのいずれか１つを選択してＰＯＮ制御回路１２へ出力する機能を有している。１Ｇｂｉｔ／ｓ用選択回路２１Ｂは、各光トランシーバ１１（ＴＲ＃１〜ＴＲ＃Ｎ）から出力された１Ｇｂｉｔ／ｓ用の上りフレーム出力ＲＸのいずれか１つを選択してＰＯＮ制御回路１２へ出力する機能を有している。
【００７８】
この場合、ＯＬＴ１の各光トランシーバ１１（ＴＲ＃１〜ＴＲ＃Ｎ）は、上りフレームの出力ポートとして、１０Ｇｂｉｔ／ｓ用出力ポートと１Ｇｂｉｔ／ｓ用出力ポートとを備え、下りフレームの入力ポートとして、１０Ｇｂｉｔ／ｓ用入力ポートと１Ｇｂｉｔ／ｓ用入力ポートとを備えているものとする。また、ＬＯＳ出力は、１０Ｇｂｉｔ／ｓおよび１Ｇｂｉｔ／ｓにかかわらず、光スプリッタ２からの光信号の入力有無に応じて出力されるものとする。
【００７９】
また、ＯＬＴ１のＰＯＮ制御回路１２は、上りフレーム入力が１０Ｇｂｉｔ／ｓと１Ｇｂｉｔ／ｓの両方の入力に対応可能な構成とされており、下りフレームの出力ポートとして、１０Ｇｂｉｔ／ｓ用出力ポートと１Ｇｂｉｔ／ｓ用出力ポートとを備え、上りフレームの入力ポートとして、１０Ｇｂｉｔ／ｓ用入力ポートと１Ｇｂｉｔ／ｓ用入力ポートとを備えているものとする。また、ＰＯＮ制御回路１２は、各ＯＮＵ３に対して上り帯域割当時に１０Ｇｂｉｔ／ｓでのフレーム送信を許可するのか、１Ｇｂｉｔ／ｓでのフレーム送信を許可するのかを認識しており、そのフレームの伝送速度設定出力（１０Ｇ／１Ｇ）を選択・分配回路１３に出力する機能を有しているものとする。
【００８０】
これにより、ＯＮＵ３から送信された１０Ｇｂｉｔ／ｓの上りフレームは、ＴＲ＃１〜ＴＲ＃Ｎの１０Ｇｂｉｔ／ｓ用出力ポートから出力され、１０Ｇｂｉｔ／ｓ用選択回路２１Ａへ入力されて、各ＴＲ＃１〜ＴＲ＃ＮからのＬＯＳ出力に基づき選択された後、ＰＯＮ制御回路１２の１０Ｇｂｉｔ／ｓ用入力ポートへ入力される。また、ＯＮＵ３から送信された１Ｇｂｉｔ／ｓの上りフレームは、ＴＲ＃１〜ＴＲ＃Ｎの１Ｇｂｉｔ／ｓ用出力ポートから出力され、１Ｇｂｉｔ／ｓ用選択回路２１Ｂへ入力されて、各ＴＲ＃１〜ＴＲ＃ＮからのＬＯＳ出力に基づき選択された後、ＰＯＮ制御回路１２の１Ｇｂｉｔ／ｓ用入力ポートへ入力される。
【００８１】
［第２の実施の形態の効果］
このように、本実施の形態は、Ｎ個の光トランシーバ１１と１個のＰＯＮ制御回路１２との間に選択・分配回路１３を設け、選択・分配回路１３が、時分割で到来する上りフレームに対応する光トランシーバ１１を選択することにより、当該トランシーバ１１で光電変換された上りフレームをＰＯＮ制御回路１２に転送するとともに、ＰＯＮ制御回路１２からの下りフレームを各光トランシーバ１１に分配し、電源制御回路２３が、光トランシーバ１１ごとに設定されている当該光トランシーバ１１の運用状況ＰＳに基づいて、これら光トランシーバ１１のうち休止中に設定されている休止光トランシーバ１１に対する電源供給を停止するとともに、選択・分配回路１３のうち、当該休止光トランシーバ１１から出力される上りフレームの転送に使用される回路の一部または全部に対する電源供給を停止するようにしたものである。
【００８２】
これにより、ＯＬＴ１において、最大Ｎ×３２台のＯＮＵ３が収容されるとともに、休止中の光トランシーバ１１および当該休止光トランシーバ１１から出力される上りフレームの転送に使用される回路の一部または全部に対する電源供給が停止される。
したがって、光伝送システム１００におけるＯＮＵ１台あたりの装置コストを削減することができるとともに、ＯＬＴ１における消費電力の低減により運用コストを削減することができ、結果として、これら装置コストと運用コストを含む、光伝送システムにおけるＯＮＵ１台あたりのシステムコストを低減することが可能となる。
【００８３】
ここで、上述した第１の実施の形態のＯＬＴ１を用いた光伝送システム１００のＯＮＵ１台あたりのシステムコストを、図１８に示した従来のＰＯＮシステムと比較する。
Ｎ個のＰＯＮ制御回路を使用する従来のＰＯＮシステムのＯＬＴの構成と比較すると、本実施の形態のＯＬＴ１の構成の方が、選択・分配回路１３が追加されてはいるが、ＰＯＮ制御回路１２の数は少ない。
【００８４】
選択・分配回路１３の装置コスト（必要な部品の価格、部品数の増加に伴うボード面積の増加に伴うボード価格の増加分等）をＰＯＮ制御回路１２の装置コストと比較した場合、選択・分配回路１３のコストの方がＰＯＮ制御回路１２の装置コストよりも小さいため、本実施の形態のＯＬＴ１の構成の方が、装置コストは低い。特に、図３の構成を用いた場合には、低価格で小さい部品を使用することができるため、より装置コストを低減することができる。
また、１０Ｇ−ＥＰＯＮシステムの場合は、ＰＯＮ制御回路１２の価格がＧＥ−ＰＯＮ用のＰＯＮ制御回路１２より大きくなることが想定されるので、選択・分配回路１３の装置コスト上の優位性がより大きくなる。
【００８５】
また、このような回路の小規模化に伴って、回路で消費される消費電力も削減される。さらに、従来のＯＬＴ構成では、フレーム転送に使用されない回路部でも電力が無駄に消費されていたが、本実施の形態のＯＬＴ１によれば、フレーム転送時に使用されない回路部の一部または全部での消費電力も削減されるため、本実施の形態のＯＬＴ１の構成の方が、運用コストは低い。
これにより、本実施の形態のＯＬＴ１のような構成とすることにより、ＯＮＵ１台あたりのシステムコストを従来のＰＯＮシステムよりも小さくすることが可能となる。
【００８６】
［第３の実施の形態］
次に、図７を参照して、本発明の第３の実施の形態にかかるＯＬＴ１について説明する。図７は、第３の実施の形態にかかる選択回路の構成例である。
前述した図４の構成との差分は、光トランシーバ１１のＬＯＳ出力ではなく、ＰＯＮ制御回路１２からの上り帯域割当状況ＵＳを用いてセレクタ（ＳＥＬ＃１〜ＳＥＬ＃７）を制御している点である。このため、選択・分配回路１３の選択回路２１には、ＳＥＬ＃１〜ＳＥＬ＃７の動作を制御するセレクタ制御回路ＳＣを設けている。本実施の形態にかかるＯＬＴ１におけるこのほかの構成は、第２の実施の形態と同様である。
【００８７】
ＰＯＮ制御回路１２はＯＮＵ３毎に上り帯域割当（フレーム送信許可）を行うので、ＯＮＵ３がどの光トランシーバ１１に接続されているのかが分かれば、フレーム送信を許可したＯＮＵ３からの信号をＰＯＮ制御回路１２に対して出力するように、ＳＥＬ＃１〜ＳＥＬ＃７の動作を制御することができる。
【００８８】
例えば、ＯＮＵ３を設置する際に、ＯＮＵ３の個別ＩＤ（ＭＡＣアドレス、もしくは、その他のシリアル番号等）と接続する光トランシーバ１１との対応をセレクタ制御回路ＳＣに対して設定することができる。
【００８９】
ＯＮＵ３がどの光トランシーバ１１に接続されているのかを設定する別の方法として、以下のような方法もある。（１）登録要求（Register Request）フレームの送信を許可する期間（Discovery Window）において、特定の１個の光トランシーバ１１からの入力のみをＰＯＮ制御回路１２に対して出力するようにＳＥＬ＃１〜ＳＥＬ＃７を設定する。（２）上記の設定の期間に登録要求（Register Request）フレームを送信したＯＮＵ３のＭＡＣアドレスを上記の特定の光トランシーバ１１のＩＤに対応させる。（３）登録要求（Register Request）フレームの送信を許可する期間（Discovery Window）におけるＳＥＬ＃１〜ＳＥＬ＃７の設定を周期的に変えることにより、すべての光トランシーバ１１に接続されるＯＮＵ３からの登録要求（Register Request）フレームの受信と、各ＯＮＵ３のＭＡＣアドレスを接続している光トランシーバ１１のＩＤに対応させることが可能となる。
【００９０】
選択回路２１において、セレクタ制御回路ＳＣは、ＯＮＵ３と光トランシーバ１１との接続関係の設定に従い、ＰＯＮ制御回路１２からの上り帯域割当状況ＵＳに基づいて、ＳＥＬ＃１〜ＳＥＬ＃７の動作を制御し、ＴＲ＃１〜ＴＲ＃８から１つの光トランシーバ１１の上りフレーム出力ＲＸを選択し、ＰＯＮ制御回路１２へ出力する機能を有している。
上り帯域割当状況ＵＳは、各ＯＮＵ３に対して時分割で割り当てた上りフレーム送信用通信帯域の割当状況に基づいて、光トランシーバ１１（ＴＲ＃１〜ＴＲ＃Ｎ）ごとにＰＯＮ制御回路１２が生成した、当該光トランシーバ１１に接続されている各ＯＮＵ３から時分割で到来する上りフレームの到来期間を示す情報である。この上り帯域割当状況ＵＳは、例えば、各ＯＮＵ３からの上りフレーム到着時刻と上りフレーム長とからなり、光トランシーバ１１（ＴＲ＃１〜ＴＲ＃Ｎ）ごとに出力される。
【００９１】
本実施の形態においても、第１の実施の形態と同様に、光トランシーバ１１として従来のＰＯＮシステムと同様のものを用いた場合、最大で「Ｎ×３２」台のＯＮＵ３との通信が可能となる。例えば、Ｎ＝４の場合は最大１２８台、Ｎ＝１６の場合は最大５１２台のＯＮＵ３との通信が可能となる。
【００９２】
また、本実施の形態の構成を１０Ｇ−ＥＰＯＮシステムに適用することも可能である。ＯＮＵ１台あたりのシステムコストについても、第２の実施の形態の構成は、第１の実施の形態の構成と同等であり、従来の構成よりコストが小さくなる。
【００９３】
［第４の実施の形態］
次に、図８、図９Ａ、および図９Ｂを参照して、本発明の第４の実施の形態にかかるＯＬＴ１について説明する。
図８は、第４の実施の形態にかかる光伝送システムおよびＯＬＴの構成を示すブロック図である。図２の構成との差分は、ＰＯＮ制御回路１２が２個、選択・分配回路１３に接続されている点である。この例では、ＰＯＮＣ＃１が運用用のＰＯＮ制御回路１２として、ＰＯＮＣ＃２が予備用のＰＯＮ制御回路１２として設けられている。
【００９４】
図９Ａは、第４の実施の形態にかかる選択回路の構成例である。図９Ｂは、第４の実施の形態にかかる分配回路の構成例である。図３Ａ，図３Ｂの構成との差分は、ＯＲ回路（ＯＲ）から出力された１つの上りフレーム出力ＲＤを２個のＰＯＮ制御回路１２（ＰＯＮＣ＃１，ＰＯＮＣ＃２）に対して上りフレーム出力ＲＤ（ＲＤ１，ＲＤ２）として分配出力している点と、２個のＰＯＮ制御回路１２（ＰＯＮＣ＃１，ＰＯＮＣ＃２）からの下りフレーム出力ＴＤ１，ＴＤ２の何れか一方を光トランシーバ１１（ＴＲ＃１〜ＴＲ＃Ｎ）への下りフレームＴＤとして選択するセレクタＳＥＬと、ＰＯＮ制御回路１２（ＰＯＮＣ＃１，ＰＯＮＣ＃２）からの動作状況ＳＴ１，ＳＴ２（ＳＴ）に応じてセレクタＳＥＬの動作を制御するセレクタ制御回路ＳＣとを備える点である。本実施の形態にかかるＯＬＴ１におけるこのほかの構成は、第２の実施の形態と同様である。
【００９５】
本実施の形態のＯＬＴ１は、２個のＰＯＮ制御回路１２（ＰＯＮＣ＃１，ＰＯＮＣ＃２）を搭載しており、片方を予備用としている。この例では、ＰＯＮＣ＃２を予備用とする。
これにより、ＰＯＮＣ＃１は、ＳＴ１により運用中であることをＳＣに通知し、予備用のＰＯＮＣ＃２は、ＳＴ２により待機中であることをＳＣに通知する。
ＳＣは、運用中であるＰＯＮＣ＃１の下りフレーム出力ＴＤ１を選択するように、ＳＥＬの動作を制御する。これにより、ＳＥＬで選択されたＰＯＮＣ＃１の下りフレーム出力ＴＤ１が光トランシーバ１１（ＴＲ＃１〜ＴＲ＃Ｎ）へ分配される。
【００９６】
この状態で、ＰＯＮＣ＃１に不具合が発生した場合、ＰＯＮＣ＃１は、ＳＣへ不具合が発生したことをＳＴ１により通知するとともに、ＰＯＮＣ＃２に対して待機中から運用中への変更をＳＴ３により指示する。ＰＯＮＣ＃２は、ＰＯＮＣ＃１からのＳＴ３により運用中への変更の指示を受けて、ＳＣへ待機中から運用中に変更されたことをＳＴ２により通知する。
ＳＣは、ＳＴ２によりＰＯＮＣ＃２が運用中に変化したことを確認した後、運用中に変更されたＰＯＮＣ＃２の下りフレーム出力ＴＤ２を選択するように、ＳＥＬの動作を制御する。これにより、ＳＥＬで選択されたＰＯＮＣ＃２の下りフレーム出力ＴＤ２がＴＲ＃１〜ＴＲ＃Ｎへ分配される。
【００９７】
このようにして、本実施の形態のＯＬＴ１では、運用中のＰＯＮＣ＃１から予備用のＰＯＮＣ＃２に切り替えられるので、ＰＯＮＣ＃２で運用中に、ＰＯＮＣ＃１を搭載したボードの交換を行うことができるようにシステムを構成しておくことにより、ＰＯＮＣ＃１の故障等により通信が停止する期間を極力小さくすることができる。
【００９８】
また、本実施の形態のＯＬＴ１は、その基本構成が第２の実施の形態のＯＬＴ１と同じとされているので、第２の実施の形態のＯＬＴ１と同様の効果を有している。
【００９９】
［第５の実施の形態］
次に、図１０を参照して、本発明の第５の実施の形態にかかる光伝送システム１００およびＯＬＴ（局側装置）１について説明する。図１０は、第５の実施の形態にかかる光伝送システムおよびＯＬＴの構成を示すブロック図である。
【０１００】
本実施の形態は、前述した第１の実施の形態における電源供給制御の具体例として、電源制御回路２３が、ＯＮＵ３ごとに設定されている当該ＯＮＵ３のスリープ状況ＳＳから抽出した光トランシーバ１１ごとの光トランシーバ別スリープ状況に基づいて、光トランシーバ１１のうち、当該光トランシーバ１１に接続されているすべてのＯＮＵ３がスリープ状態にあるスリープ中光トランシーバ１１に対する電源供給を停止するようにしたものである。
【０１０１】
［選択回路および電源制御回路の構成例］
図１１を参照して、本実施の形態にかかる選択回路２１および電源制御回路２３の構成例について説明する。
前述した図３Ａの選択回路２１に、電源制御回路２３を設けた場合、上りフレームが到来していない光トランシーバ１１（ＴＲ＃１〜ＴＲ＃Ｎ）に対応する回路部への電源供給を停止することができ、消費電力を削減できる。
図１１は、第５の実施の形態にかかる選択回路および電源制御回路の構成例であり、図３Ａの選択回路２１に対して電源制御回路２３を設けた構成例が示されている。なお、分配回路２２は、図３Ｂに示した構成例でよい。
【０１０２】
選択回路２１は、光トランシーバ１１（ＴＲ＃１〜ＴＲ＃Ｎ）ごとに設けられたＮ個のバッファ回路（ＢＵＦ＃１〜ＢＵＦ＃Ｎ）により、当該光トランシーバ１１（ＴＲ＃１〜ＴＲ＃Ｎ）で光電気変換された上りフレームの信号を増幅出力し、これらバッファ回路（ＢＵＦ＃１〜ＢＵＦ＃Ｎ）から出力された上りフレームの信号の論理和出力をＯＲ回路（ＯＲ）により生成し、ＰＯＮ制御回路１２に出力する機能を有している。
【０１０３】
電源制御回路２３は、ＯＮＵ３ごとに設定されているＰＯＮ制御回路１２からのスリープ状況ＳＳから、光トランシーバ１１（ＴＲ＃１〜ＴＲ＃Ｎ）ごとの光トランシーバ別スリープ状況を抽出する機能と、これら光トランシーバ別スリープ状況に基づいて、光トランシーバ１１（ＴＲ＃１〜ＴＲ＃Ｎ）のうち、当該光トランシーバ１１（ＴＲ＃１〜ＴＲ＃Ｎ）に接続されているすべてのＯＮＵ３がスリープ状態にあるスリープ中光トランシーバＴＲ＃ｉ（ｉは１〜Ｎの整数）に対する電源供給を停止する機能と、選択回路２１のうち当該スリープ中光トランシーバＴＲ＃ｉから出力される上りフレームの転送に使用される回路の一部または全部に対する電源供給を停止する機能とを有している。
【０１０４】
図１１に示すように、電源制御回路２３には、主な回路部として、第１の電源スイッチ（ＳＷＡ＃１〜ＳＷＡ＃Ｎ）、第２の電源スイッチ（ＳＷＢ＃１〜ＳＷＢ＃Ｎ）、および電源スイッチ制御回路２３Ａが設けられている。
第１の電源スイッチ（ＳＷＡ＃１〜ＳＷＡ＃Ｎ）は、光トランシーバ１１（ＴＲ＃１〜ＴＲ＃Ｎ）ごとに設けられて、電源スイッチ制御回路２３Ａからの指示に応じて、動作電位Ｖｃｃと接地電位ＧＮＤのいずれかを、対応する光トランシーバ１１（ＴＲ＃１〜ＴＲ＃Ｎ）へ切替供給する機能を有している。
【０１０５】
第２の電源スイッチ（ＳＷＢ＃１〜ＳＷＢ＃Ｎ）は、光トランシーバ１１（ＴＲ＃１〜ＴＲ＃Ｎ）ごとに設けられて、電源スイッチ制御回路２３Ａからの指示に応じて、動作電位Ｖｃｃと接地電位ＧＮＤのいずれかを、選択回路２１のうち当該光トランシーバ１１（ＴＲ＃１〜ＴＲ＃Ｎ）と対応する回路部、例えばバッファ回路（ＢＵＦ＃１〜ＢＵＦ＃Ｎ）に切替供給する機能を有している。
【０１０６】
電源スイッチ制御回路２３Ａは、光トランシーバ１１（ＴＲ＃１〜ＴＲ＃Ｎ）のうち、スリープ中光トランシーバＴＲ＃ｉ以外については、対応する第１の電源スイッチ（ＳＷＡ＃ｉ）および第２の電源スイッチ（ＳＷＢ＃ｉ）に対して電源供給を指示する機能と、スリープ中光トランシーバＴＲ＃ｉについては、対応する第１の電源スイッチ（ＳＷＡ＃ｊ）および第２の電源スイッチ（ＳＷＢ＃ｊ）に対して電源供給の停止を指示する機能とを有している。
【０１０７】
一方、光トランシーバ１１（ＴＲ＃１〜ＴＲ＃Ｎ）は、対応する第１の電源スイッチ（ＳＷＡ＃１〜ＳＷＡ＃Ｎ）から動作電位Ｖｃｃが供給された場合、接続されている光スプリッタ２との間で光通信動作を行う機能と、第１の電源スイッチ（ＳＷＡ＃１〜ＳＷＡ＃Ｎ）から接地電位ＧＮＤが供給された場合、光通信動作を停止する機能とを有している。
【０１０８】
また、バッファ回路（ＢＵＦ＃１〜ＢＵＦ＃Ｎ）は、オペアンプなどの増幅回路からなり、対応する第２の電源スイッチ（ＳＷＢ＃１〜ＳＷＢ＃Ｎ）から動作電位Ｖｃｃが供給された場合、光トランシーバ１１（ＴＲ＃１〜ＴＲ＃Ｎ）から入力された上りフレームの信号を増幅して、ＯＲ回路（ＯＲ）に出力する機能と、第２の電源スイッチ（ＳＷＢ＃１〜ＳＷＢ＃Ｎ）から接地電位ＧＮＤが供給された場合、増幅動作を停止して接地電位（ＧＮＤ）を出力する機能とを有している。
【０１０９】
光伝送システム１００において、各ＯＮＵ３のうち、ＯＬＴ１へ送信すべき上りデータを保持していないＯＮＵ３については、ＯＬＴ１のＰＯＮ制御回路１２が当該ＯＮＵ３に対して任意のスリープ期間を割り当て、このスリープ期間において省電力状態すなわちスリープ状態へ移行するよう、ＯＬＴ１から当該ＯＮＵ３に指示する機能が設けられる場合がある。スリープ状況ＳＳは、このような各ＯＮＵ３に割り当てられたスリープ期間を示す情報であり、例えばスリープ期間の開始時刻とスリープ期間長とから構成されている。
【０１１０】
このように、各ＯＮＵ３のスリープ期間は、それぞれのＯＮＵ３における上りデータの保持状況等に依存して割り当てられるが、いずれかの光トランシーバ１１（ＴＲ＃１〜ＴＲ＃Ｎ）に接続されている各ＯＮＵ３のスリープ期間が重複して、このスリープ重複期間だけこれらすべてのＯＮＵ３がスリープ中となる場合がある。このような場合、当該光トランシーバ１１と対応する光スプリッタ２との間において、実質的にフレーム通信が行われることはない。
【０１１１】
本実施の形態は、このようなスリープ重複期間に着目し、各ＯＮＵ３のスリープ状況ＳＳから抽出した光トランシーバ別スリープ状況に基づいて、光トランシーバ１１（ＴＲ＃１〜ＴＲ＃Ｎ）のうち、接続されているＯＮＵ３のすべてがスリープ中であるスリープ中光トランシーバＴＲ＃ｉに対して、スリープ重複期間だけ電源供給を停止するようにしたものである。
【０１１２】
したがって、光トランシーバ別スリープ状況に基づいて、光トランシーバ１１（ＴＲ＃１〜ＴＲ＃Ｎ）のうち、接続されているＯＮＵ３のすべてがスリープ中であるスリープ中光トランシーバＴＲ＃ｉについては、電源スイッチ制御回路２３Ａからのスリープ重複期間に同期した指示に応じて、対応するＳＷＡ＃ｉから当該ＴＲ＃ｉに対して接地電位ＧＮＤが供給されるとともに、対応するＳＷＢ＃ｉから当該ＴＲ＃ｉに対応するＢＵＦ＃ｉに対して接地電位ＧＮＤが供給される。これにより、休止中のＴＲ＃ｉおよびこれに対応するＢＵＦ＃ｉへの電源供給が停止されて、これら回路部での消費電力が削減されることになる。
【０１１３】
また、スリープ中光トランシーバＴＲ＃ｉ以外の光トランシーバＴＲ＃ｊ（ｊは１〜Ｎのうちｉ以外の整数）については、電源スイッチ制御回路２３Ａからの指示に応じて、対応するＳＷＡ＃ｊから当該ＴＲ＃ｊに対して動作電位Ｖｃｃが供給されるとともに、対応するＳＷＢ＃ｊから当該ＴＲ＃ｊに対応するＢＵＦ＃ｊに対して動作電位Ｖｃｃが供給される。
【０１１４】
なお、以上では、ＯＮＵ３ごとに設定されているＰＯＮ制御回路１２からのスリープ状況ＳＳから、光トランシーバ１１（ＴＲ＃１〜ＴＲ＃Ｎ）ごとの光トランシーバ別スリープ状況を抽出する動作について、電源制御回路２３が実行する場合を例として説明したが、これに限定されるものではない。例えば、ＰＯＮ制御回路１２において、光トランシーバ別スリープ状況を抽出して、接続されているすべてのＯＮＵ３がスリープ状態にあるスリープ中光トランシーバＴＲ＃ｉとそのスリープ重複期間を特定し、電源制御回路２３がＰＯＮ制御回路１２から通知されたＴＲ＃ｉとスリープ重複期間を示す電源停止情報に基づき、ＴＲ＃１に対する電源供給を停止するようにしてもよい。
【０１１５】
また、以上では、各光トランシーバ１１（ＴＲ＃１〜ＴＲ＃Ｎ）の光トランシーバ別スリープ状況に応じて、光トランシーバ１１（ＴＲ＃１〜ＴＲ＃Ｎ）およびこれに対応するバッファ回路（ＢＵＦ＃１〜ＢＵＦ＃Ｎ）への電源供給を制御する場合について説明したが、これに加えて、各ＯＮＵ３に対して時分割で割り当てた上り帯域割当状況ＵＳに基づいて、バッファ回路（ＢＵＦ＃１〜ＢＵＦ＃Ｎ）への電源供給を制御してもよい。
【０１１６】
上り帯域割当状況ＵＳは、各ＯＮＵ３に対して時分割で割り当てた上りフレーム送信用通信帯域の割当状況に基づいて、光トランシーバ１１（ＴＲ＃１〜ＴＲ＃Ｎ）ごとにＰＯＮ制御回路１２が生成した、当該ＴＲ＃ｋ（ｋは１〜Ｎの整数）に接続されている各ＯＮＵ３から時分割で到来する上りフレームの到来期間を示す情報である。この上り帯域割当状況ＵＳは、例えば、各ＯＮＵ３からの上りフレーム到着時刻Ｔｓと上りフレーム長Ｔｌとからなり、光トランシーバ１１（ＴＲ＃１〜ＴＲ＃Ｎ）ごとに出力される。
【０１１７】
電源スイッチ制御回路２３Ａは、この上り帯域割当状況ＵＳに基づいて、各光トランシーバ１１（ＴＲ＃１〜ＴＲ＃Ｎ）への上りフレームの到来期間に合わせて、当該ＴＲ＃ｋに対応するＢＵＦ＃ｋに電源供給するよう、当該光トランシーバ１１に対応するＳＷＢ＃ｋに対して指示すればよい。
これにより、光トランシーバ１１（ＴＲ＃１〜ＴＲ＃Ｎ）のうち運用中のＴＲ＃ｋに対応するＢＵＦ＃ｋに対して、上りフレームが到来する期間には、ＳＷＢ＃ｋから動作電位Ｖｃｃが供給され、上りフレームが到来しない期間には、ＳＷＢ＃ｋからＢＵＦ＃ｋに対する動作電位Ｖｃｃの供給が停止される。
【０１１８】
したがって、上りフレームが到来していないバッファ回路（ＢＵＦ＃１〜ＢＵＦ＃Ｎ）に対しては、動作電位Ｖｃｃの供給が停止されるため、無駄な電力消費が抑止され、選択回路２１における消費電力が削減される。また、図３ＡのＡＮＤ回路（ＡＮＤ＃１〜ＡＮＤ＃Ｎ）に代えて、バッファ回路（ＢＵＦ＃１〜ＢＵＦ＃Ｎ）により、上りフレーム出力ＲＸが、上り帯域割当状況ＵＳでマスク（ゲーティング）されることになる。
【０１１９】
なお、本実施の形態にかかる図１０の選択回路２１については、図１１に示した構成例に限定されるものではなく、第２の実施の形態と同様にして、前述の図３Ａや図４に示した選択回路２１を適用してもよい。また、第３の実施の形態と同様にして、図７の選択回路２１を適用してもよい。
【０１２０】
また、本実施の形態にかかる図１０の選択・分配回路１３を１０Ｇ−ＥＰＯＮシステムに適用する場合には、第２の実施の形態と同様にして、前述の図５Ａおよび図５Ｂに示した選択回路２１および分配回路２２を適用してもよく、あるいは、図５Ａの選択回路２１に代えて前述の図６に示した選択回路２１を適用してもよい。
【０１２１】
また、本実施の形態にかかる図１０の選択・分配回路１３を複数のＰＯＮ制御回路１２に適用する場合には、第４の実施の形態と同様にして、前述の図８、図９Ａ、および図９Ｂに示した選択・分配回路１３、選択回路２１および分配回路２２を適用してもよい。
【０１２２】
［第６の実施の形態］
次に、図１２を参照して、本発明の第６の実施の形態にかかる光伝送システム１００およびＯＬＴ（局側装置）１について説明する。図１２は、第６の実施の形態にかかる光伝送システムおよびＯＬＴの構成を示すブロック図である。
【０１２３】
本実施の形態は、前述した第１の実施の形態における電源供給制御の具体例として、電源制御回路２３が、時分割で到来する上りフレームの到来期間を示す上り帯域割当状況ＵＳに基づいて、選択・分配回路１３のうち、当該上りフレームの転送に使用されない回路の一部または全部に対する電源供給を停止するようにしたものである。
【０１２４】
［選択回路および電源制御回路の構成例１］
図１３Ａおよび図１３Ｂを参照して、本実施の形態にかかる選択回路２１および電源制御回路２３の構成例について説明する。
図１２の選択回路２１に、電源制御回路２３を設けた場合、上りフレームが到来していない光トランシーバ１１（ＴＲ＃１〜ＴＲ＃Ｎ）に対応する回路部への電源供給を停止することができ、消費電力を削減できる。
図１３Ａは、第６の実施の形態にかかる選択回路および電源制御回路の構成例であり、図３Ａの選択回路２１に対して電源制御回路２３を設けた構成例が示されている。なお、分配回路２２は、図３Ｂに示した構成例でよい。
【０１２５】
選択回路２１は、光トランシーバ１１（ＴＲ＃１〜ＴＲ＃Ｎ）ごとに設けられたＮ個のバッファ回路（ＢＵＦ＃１〜ＢＵＦ＃Ｎ）により、当該光トランシーバ１１（ＴＲ＃１〜ＴＲ＃Ｎ）で光電気変換された上りフレームの信号を増幅出力し、これらバッファ回路（ＢＵＦ＃１〜ＢＵＦ＃Ｎ）から出力された上りフレームの信号の論理和出力をＯＲ回路（ＯＲ）により生成し、ＰＯＮ制御回路１２に出力する機能を有している。
【０１２６】
電源制御回路２３は、ＰＯＮ制御回路１２から出力された、各光トランシーバ１１（ＴＲ＃１〜ＴＲ＃Ｎ）に関する上り帯域割当状況ＵＳに基づいて、電源スイッチ（ＳＷ＃１〜ＳＷ＃Ｎ）により、当該光トランシーバ１１（ＴＲ＃１〜ＴＲ＃Ｎ）に対応するバッファ回路（ＢＵＦ＃１〜ＢＵＦ＃Ｎ）への電源供給を制御する機能を有している。
【０１２７】
図１３Ａに示すように、この電源制御回路２３には、主な回路部として、電源スイッチ制御回路２３Ａと、各光トランシーバ１１（ＴＲ＃１〜ＴＲ＃Ｎ）にそれぞれ対応するＮ個の電源スイッチ（ＳＷ＃１〜ＳＷ＃Ｎ）とが設けられている。
電源スイッチ制御回路２３Ａは、ＰＯＮ制御回路１２から出力された上り帯域割当状況ＵＳに基づいて、各光トランシーバ１１（ＴＲ＃１〜ＴＲ＃Ｎ）から出力される上りフレーム出力ＲＸに同期して、当該光トランシーバ（ＴＲ＃１〜ＴＲ＃Ｎ）に対応する電源スイッチ（ＳＷ＃１〜ＳＷ＃Ｎ）を制御する機能を有している。
【０１２８】
電源スイッチ（ＳＷ＃１〜ＳＷ＃Ｎ）は、電源スイッチ制御回路２３Ａからの指示に基づき、動作電位Ｖｃｃと接地電位ＧＮＤのいずれかを、選択回路２１のうち当該光トランシーバ１１（ＴＲ＃１〜ＴＲ＃Ｎ）と対応する回路部、例えばバッファ回路（ＢＵＦ＃１〜ＢＵＦ＃Ｎ）に切替供給する機能を有している。
【０１２９】
バッファ回路（ＢＵＦ＃１〜ＢＵＦ＃Ｎ）は、オペアンプなどの増幅回路からなり、電源スイッチ（ＳＷ＃１〜ＳＷ＃Ｎ）から動作電位Ｖｃｃが供給された場合、光トランシーバ１１（ＴＲ＃１〜ＴＲ＃Ｎ）から入力された上りフレームの信号を増幅して、ＯＲ回路（ＯＲ）に出力する機能と、電源スイッチ（ＳＷ＃１〜ＳＷ＃Ｎ）から接地電位ＧＮＤが供給された場合、増幅動作を停止して接地電位（ＧＮＤ）を出力する機能とを有している。
【０１３０】
図１３Ｂは、図１３Ａの電源制御回路の動作を示すタイミングチャートである。上り帯域割当状況ＵＳは、各ＯＮＵ３に対して時分割で割り当てた上りフレーム送信用通信帯域の割当状況に基づいて、光トランシーバ１１（ＴＲ＃１〜ＴＲ＃Ｎ）ごとにＰＯＮ制御回路１２が生成した、当該光トランシーバ１１（ＴＲ＃１〜ＴＲ＃Ｎ）に接続されている各ＯＮＵ３から時分割で到来する上りフレームの到来期間を示す情報である。この上り帯域割当状況ＵＳは、例えば、図１３Ｂに示すように、各ＯＮＵ３からの上りフレーム到着時刻Ｔｓと上りフレーム長Ｔｌとからなり、光トランシーバ１１（ＴＲ＃１〜ＴＲ＃Ｎ）ごとに出力される。
【０１３１】
電源スイッチ制御回路２３Ａは、この上り帯域割当状況ＵＳに基づいて、各光トランシーバ１１（ＴＲ＃１〜ＴＲ＃Ｎ）への上りフレームの到来期間に合わせて、当該光トランシーバ１１（ＴＲ＃１〜ＴＲ＃Ｎ）に対応するバッファ回路（ＢＵＦ＃１〜ＢＵＦ＃Ｎ）に電源供給するよう、当該光トランシーバ１１（ＴＲ＃１〜ＴＲ＃Ｎ）に対応する電源スイッチ（ＳＷ＃１〜ＳＷ＃Ｎ）に対して指示する。
【０１３２】
この際、電源スイッチ制御回路２３Ａが、電源スイッチ（ＳＷ＃１〜ＳＷ＃Ｎ）およびバッファ回路（ＢＵＦ＃１〜ＢＵＦ＃Ｎ）の立ち上がり遅れや上りフレームの遅延を考慮して、Ｔｓより立ち上がり時間Ｔｏｎだけ遡った時点から、上りフレーム終端時刻Ｔｓ＋Ｔｌより遅延時間ΔＴｅだけ経過した時点までの、余裕を見込んだ電源供給期間を特定し、この電源供給期間にわたり電源供給するよう指示してもよい。
【０１３３】
これにより、複数の光トランシーバ１１（ＴＲ＃１〜ＴＲ＃Ｎ）を備えるＯＬＴ１であっても、これら光トランシーバ１１（ＴＲ＃１〜ＴＲ＃Ｎ）ごとに設けられた後段回路に対する電源供給を正確に制御することができる。したがって、これら後段回路における消費電力を的確に削減しつつ、これら後段回路での消費電力削減に起因する上りフレーム転送動作への影響を抑制して安定動作を実現することが可能となる。
【０１３４】
なお、電源供給期間については、ＰＯＮ制御回路１２で上りフレーム送信用通信帯域に含めることも考えられるが、これには電源制御の対象となる回路部品の起動時間などの動作特性をパラメータとして帯域割当処理時に取り込む独自の帯域割当アルゴリズムが必要となり、帯域割当アルゴリズムの複雑化につながる。本実施の形態によれば、各ＯＮＵ３に通知される通信帯域の割当状況に基づいて、電源スイッチ制御回路２３Ａで電源供給期間を特定するようにしたので、帯域割当アルゴリズムに変更を加える必要がなく、また、いずれの帯域割当アルゴリズムにも対応することができ、極めて適応性の高いＯＬＴ１を実現できる。
【０１３５】
これにより、上りフレームが到来する期間には、電源スイッチ（ＳＷ＃１〜ＳＷ＃Ｎ）からバッファ回路（ＢＵＦ＃１〜ＢＵＦ＃Ｎ）に対して動作電位Ｖｃｃが供給され、上りフレームが到来しない期間には、電源スイッチ（ＳＷ＃１〜ＳＷ＃Ｎ）からバッファ回路（ＢＵＦ＃１〜ＢＵＦ＃Ｎ）に対する動作電位Ｖｃｃの供給が停止される。
したがって、上りフレームが到来していないバッファ回路（ＢＵＦ＃１〜ＢＵＦ＃Ｎ）に対しては、動作電位Ｖｃｃの供給が停止されるため、無駄な電力消費が抑止され、選択回路２１における消費電力が削減される。また、図３ＡのＡＮＤ回路（ＡＮＤ＃１〜＃Ｎ）に代えて、バッファ回路（ＢＵＦ＃１〜ＢＵＦ＃Ｎ）により、上りフレーム出力ＲＸが、上り帯域割当状況ＵＳでマスク（ゲーティング）されることになる。
【０１３６】
なお、本実施の形態にかかる図１２の選択回路２１については、図１３Ａに示した構成例に限定されるものではなく、第２の実施の形態と同様にして、前述の図３Ａや図４に示した選択回路２１を適用してもよい。
【０１３７】
また、本実施の形態にかかる図１２の選択・分配回路１３を１０Ｇ−ＥＰＯＮシステムに適用する場合には、第２の実施の形態と同様にして、前述の図５Ａおよび図５Ｂに示した選択回路２１および分配回路２２を適用してもよく、あるいは、図５Ａの選択回路２１に代えて前述の図６に示した選択回路２１を適用してもよい。
【０１３８】
また、本実施の形態にかかる図１２の選択・分配回路１３を複数のＰＯＮ制御回路１２に適用する場合には、第４の実施の形態と同様にして、前述の図８、図９Ａ、および図９Ｂに示した選択・分配回路１３、選択回路２１および分配回路２２を適用してもよい。
【０１３９】
また、本実施の形態にかかる図１２の選択回路２１については、第３の実施の形態と同様にして、図７の選択回路２１を適用してもよい。これにより、光スプリッタ２からの光信号が入力されていない光トランシーバ１１（ＴＲ＃１〜ＴＲ＃Ｎ）に対応する回路部への電源供給を停止することができ、消費電力を削減できる。
【０１４０】
［選択回路および電源制御回路の構成例２］
図１４Ａは、第６の実施の形態にかかる選択回路および電源制御回路の他の構成例であり、図７の選択回路２１に対して電源制御回路２３を設けた構成例が示されている。なお、分配回路２２は、図３Ｂに示した構成例でよい。
【０１４１】
電源制御回路２３は、セレクタ（ＳＥＬ＃１〜ＳＥＬ＃７）の切替制御状態に基づいて、複数の電源スイッチ（ＳＷ＃０〜ＳＷ＃１）により、セレクタ（ＳＥＬ＃１〜ＳＥＬ＃７）の切替制御状態に基づいて、これらセレクタ（ＳＥＬ＃１〜ＳＥＬ＃７）のうち上りフレームが通過しないセレクタの一部または全部に対する電源供給を停止する機能を有している。
【０１４２】
電源制御回路２３には、主な回路部として、電源スイッチ＃０，＃１が設けられている。
電源スイッチ（ＳＷ＃０）は、セレクタ（ＳＥＬ＃７）に入力される選択回路２１からの切替信号（反転値）に基づき、動作電位Ｖｃｃと接地電位ＧＮＤのいずれかを、セレクタ（ＳＥＬ＃１〜ＳＥＬ＃２，ＳＥＬ＃５）に切替供給する機能を有している。電源スイッチ（ＳＷ＃１）は、セレクタ（ＳＥＬ＃７）に入力される選択回路２１からの切替信号に基づき、動作電位Ｖｃｃと接地電位ＧＮＤのいずれかを、セレクタ（ＳＥＬ＃３〜ＳＥＬ＃４，ＳＥＬ＃６）に切替供給する機能を有している。
【０１４３】
図１４Ｂは、図１４Ａの電源制御回路の動作を示すタイミングチャートである。上り帯域割当状況ＵＳは、各ＯＮＵ３に対して時分割で割り当てた上りフレーム送信用通信帯域の割当状況に基づいて、光トランシーバ１１（ＴＲ＃１〜ＴＲ＃Ｎ）ごとにＰＯＮ制御回路１２が生成した、当該光トランシーバ１１（ＴＲ＃１〜ＴＲ＃Ｎ）に接続されている各ＯＮＵ３から時分割で到来する上りフレームの到来期間を示す情報である。この上り帯域割当状況ＵＳは、例えば、図１４Ｂに示すように、各ＯＮＵ３からの上りフレーム到着時刻Ｔｓと上りフレーム長Ｔｌとからなり、光トランシーバ１１（ＴＲ＃１〜ＴＲ＃Ｎ）ごとに出力される。
【０１４４】
選択回路２１は、この上り帯域割当状況ＵＳに基づいて、ＴＲ＃１〜ＴＲ＃Ｎのうち、ＴＲ＃１〜ＴＲ＃４に関する上りフレーム到来期間については、ＳＥＬ＃７に対して「０」側入力への切り替えを指示し、ＴＲ＃５〜ＴＲ＃８に関する上りフレーム到来期間については、ＳＥＬ＃７に対して「１」側入力への切り替えを指示する。
【０１４５】
これにより、例えば、ＳＥＬ＃７で「０」側の入力が選択された場合、ＳＷ＃０がＳＥＬ＃１〜ＳＥＬ＃２，ＳＥＬ＃５に動作電位Ｖｃｃを供給し、ＳＷ＃１がＳＥＬ＃３〜ＳＥＬ＃４，ＳＥＬ＃６への電源供給を停止する。一方、ＳＥＬ＃７で「１」側の入力が選択された場合、ＳＷ＃０がＳＥＬ＃１〜ＳＥＬ＃２，ＳＥＬ＃５への電源供給を停止し、ＳＷ＃１がＳＥＬ＃３〜ＳＥＬ＃４，ＳＥＬ＃６に動作電位Ｖｃｃを供給する。
したがって、ＳＥＬ＃１〜ＳＥＬ＃６のうちの半分に対し、動作電位Ｖｃｃの供給が停止されるため、無駄な電力消費が抑止され、選択回路２１における消費電力が削減される。
【０１４６】
なお、選択回路２１において、ＳＷ＃１〜ＳＷ＃２およびＳＥＬ＃１〜ＳＥＬ＃７の立ち上がり遅れや上りフレームの遅延を考慮して、Ｔｓより立ち上がり時間Ｔｏｎだけ遡った時点から、上りフレーム終端時刻Ｔｓ＋Ｔｌより遅延時間ΔＴｅだけ経過した時点までの、余裕を見込んだ電源供給期間を算出し、この電源供給期間にわたり電源供給するよう指示してもよい。これにより、安定した上りフレームの転送処理を実現できる。
【０１４７】
［第７の実施の形態］
次に、図１５を参照して、本発明の第７の実施の形態にかかるＯＬＴ１について説明する。
図１５は、第７の実施の形態にかかるＯＬＴの構成を示すブロック図である。前述した図３Ｃの構成との差分は、光スプリッタ２（ＳＰ＃１〜ＳＰ＃Ｎ）と光トランシーバ１１（ＴＲ＃１〜ＴＲ＃Ｎ）との間に、これら光スプリッタ２（ＳＰ＃１〜ＳＰ＃Ｎ）と光トランシーバ１１（ＴＲ＃１〜ＴＲ＃Ｎ）とを、任意に切替接続するＮ×Ｎの光スイッチ１０を備える点である。
【０１４８】
光トランシーバ１１（ＴＲ＃１〜ＴＲ＃Ｎ）のうち、いずれかで故障が発生した場合、当該光トランシーバ１１ＴＲ＃ｉ（ｉは１〜Ｎの整数）に接続されていた光スプリッタＳＰ＃２に収容されているＯＮＵ３のフレーム通信を復旧させるため、当該ＳＰ＃２を他の使用可能な代替となる光トランシーバ１１＃ｊ（ｊは１〜Ｎの整数）に接続する必要がある。
【０１４９】
ここで、光伝送システム１００には、一般に、光トランシーバ１１での故障発生を、通信異常としてＯＬＴ１や当該ＯＬＴ１に接続されている他の通信機器で検出されてオペレータに通知される仕組みが設けられている。したがって、この通知に応じたオペレータによる復旧作業として、図２Ｃで説明したように、故障発生した光トランシーバ１１の運用状況ＰＳが休止中に設定変更され、代替となる光トランシーバ１１の運用状況ＰＳが運中に設定変更されることになる。
【０１５０】
本実施の形態では、ＰＯＮ制御回路１２で管理されている各光トランシーバ１１（ＴＲ＃１〜ＴＲ＃Ｎ）の運用状況ＰＳが、光トランシーバ１１（ＴＲ＃１〜ＴＲ＃Ｎ）での故障発生に応じて、オペレータにより設定変更されることに着目し、この運用状況ＰＳに基づきＰＯＮ制御回路１２から光スイッチ１０を切替制御することにより、当該光スプリッタ２の切替接続を行うようにしたものである。
【０１５１】
すなわち、本実施の形態にかかるＰＯＮ制御回路１２は、各ＴＲ＃１〜ＴＲ＃Ｎのうち、第１の光トランシーバ１１（ＴＲ＃ｉ）の運用状況ＰＳが休止中に変更され、かつ、第２の光トランシーバ１１（ＴＲ＃ｊ）の運用状況ＰＳが運用中に変更された場合、光スイッチ制御信号ＣＮＴにより光スイッチ１０を切替制御して、当該第１の光トランシーバ（ＴＲ＃ｉ）に接続されている光スプリッタ２を当該第２の光トランシーバ１１（ＴＲ＃ｊ）に切替接続する機能を有している。
【０１５２】
これにより、オペレータの復旧作業による、ＴＲ＃ｉとＴＲ＃ｊの運用状況ＰＳの変更に応じて、ＰＯＮ制御回路１２により光スイッチ１０が自動的に切替制御される。したがって、故障発生したＴＲ＃ｉに接続されていたＳＰ＃ｉが、代替となるＴＲ＃ｊに切替接続されるため、当該ＳＰ＃ｉに収容されているＯＮＵ３のフレーム通信を復旧することができる。
【０１５３】
また、図３Ｃと同様に、このような運用状況ＰＳの変更に応じて電源制御回路２３の電源スイッチ制御回路２３Ａが、故障発生したＴＲ＃ｉに対応する第１および第２の電源スイッチ（ＳＷＡ＃ｉ，ＳＷＢ＃ｉ）に対して電源供給の停止を指示するとともに、代替となるＴＲ＃ｊに対応する第１および第２の電源スイッチ（ＳＷＡ＃ｊ，ＳＷＢ＃ｊ）に対して電源供給の開始を指示する。これにより、ＳＷＡ＃ｉ，ＳＷＢ＃ｉからＴＲ＃ｉおよびＢＵＦ＃ｉに対する電源供給が停止され、ＳＷＡ＃ｊ，ＳＷＢ＃ｊからＴＲ＃ｊおよびＢＵＦ＃ｊに対する電源供給が開始される。
【０１５４】
また、以上では、オペレータによる運用状況ＰＳの変更に応じて、光スイッチ１０を切替制御する場合を例として説明したが、各光トランシーバ１１（ＴＲ＃１〜ＴＲ＃Ｎ）の故障発生をＰＯＮ制御回路１２で監視している場合には、オペレータによる運用状況ＰＳの変更を待つことなく、ＰＯＮ制御回路１２が自律的に運用状況ＰＳを変更するとともに、光スイッチ１０を切替制御するようにしてもよい。
【０１５５】
ＰＯＮ制御回路１２における光トランシーバ１１（ＴＲ＃１〜ＴＲ＃Ｎ）の故障監視については、例えば、選択・分配回路１３から転送される上りフレームのフレーム間隔をＴＲ＃１〜ＴＲ＃Ｎごとに監視し、当該フレーム間隔が所定の監視期間を超えたＴＲ＃ｉが発生した時点で、当該ＴＲ＃ｉを故障光トランシーバ１１（ＴＲ＃ｉ）として判定すればよい。
【０１５６】
また、代替トランシーバ１１（ＴＲ＃ｊ）については、運用状況ＰＳが休止中であってかつ使用可能な、ＴＲ＃ｉ以外の他の光トランシーバ１１＃ｊをＴＲ＃ｊとして１つ選択すればよい。なお、運用状況ＰＳが休止中の光トランシーバ１１（ＴＲ＃１〜ＴＲ＃Ｎ）には、故障中で使用不可能なものも含まれるため、運用状況ＰＳに当該ＴＲ＃１〜ＴＲ＃Ｎの使用可否を示す情報を添付しておけばよい。
【０１５７】
したがって、ＰＯＮ制御回路１２は、いずれかのＴＲ＃１〜ＴＲ＃Ｎが故障光トランシーバ１１（ＴＲ＃ｉ）として判定された場合、当該ＴＲ＃ｉの運用状況ＰＳを休止中であってかつ使用不可と変更するとともに、運用状況ＰＳが休止中であってかつ使用可能な他の代替光トランシーバ１１（ＴＲ＃ｊ）を１つ選択して運用状況ＰＳを運用中に変更し、光スイッチ１０を切替制御して、当該故障ＴＲ＃ｉに接続されている光スプリッタ２を代替ＴＲ＃ｊに切替接続すればよい。
【０１５８】
これにより、オペレータによる運用状況ＰＳの変更を待つことなく、ＰＯＮ制御回路１２により自律的に運用状況ＰＳが変更されて、光スイッチ１０が切替制御されるとともに、この運用状況ＰＳの変更に応じた電源スイッチ制御回路２３Ａからの指示に応じて、第１の電源スイッチ（ＳＷＡ＃１〜ＳＷＡ＃Ｎ）および第２の電源スイッチ（ＳＷＢ＃１〜ＳＷＢ＃Ｎ）により、故障ＴＲ＃ｉおよび対応するＢＵＦ＃ｉへの電源供給が自動的に停止されるとともに、代替ＴＲ＃ｊおよび対応するＢＵＦ＃ｊへの電源供給が自動的に開始される。
【０１５９】
したがって、光トランシーバ１１（ＴＲ＃１〜ＴＲ＃Ｎ）の故障発生に必要となるオペレータの復旧作業を自動化でき、かかる作業負担を大幅に削減できるとともに、復旧までに要する所要時間を大幅に短縮することが可能となる。
なお、図１５に示した本実施の形態にかかる光スイッチ１０については、図３Ｃに示した構成例だけでなく、前述の図１１や図１３Ａに示した構成例に適用してもよい。
【０１６０】
［第８の実施の形態］
次に、図１６を参照して、本発明の第８の実施の形態にかかるＯＬＴ１について説明する。
図１６は、第８の実施の形態にかかるＯＬＴの構成を示すブロック図である。図１１の構成との差分は、光スプリッタ２（ＳＰ＃１〜ＳＰ＃Ｎ）と光トランシーバ１１（ＴＲ＃１〜ＴＲ＃Ｎ）との間に、これら光スプリッタ２（ＳＰ＃１〜ＳＰ＃Ｎ）と光トランシーバ１１（ＴＲ＃１〜ＴＲ＃Ｎ）とを、任意に切替接続するＮ×Ｎの光スイッチ１０を備える点と、光トランシーバ１１毎に異なる下りの波長を使用する点である。
【０１６１】
前述したように、光トランシーバ１１（ＴＲ＃１〜ＴＲ＃Ｎ）のいずれかにおいて、接続されている各ＯＮＵ３のスリープ期間が重複して、このスリープ重複期間だけこれらすべてのＯＮＵ３がスリープ中となった場合、当該光トランシーバ１１と対応する光スプリッタ２との間において、実質的にフレーム通信が行われることはない。
したがって、このような状況を意図して作り出せば、すなわち、スリープ中のＯＮＵ３を特定の光トランシーバ１１に切替接続すれば、当該光トランシーバ１１への電源供給を停止することが可能となる。
【０１６２】
ここで、本発明では、前述したように、ＰＯＮ制御回路１２において、Ｎ個の光スプリッタ２（ＳＰ＃１〜ＳＰ＃Ｎ）に接続されている最大Ｎ×３２個のＯＮＵ３のうち、ＯＬＴ１とセッションを接続確立しているすべてのＯＮＵ３に対して、これらＯＮＵ３から異なる時刻に発光（上りフレーム送信）されるよう、上りフレーム送信用の通信帯域を時分割で割り当てる上り帯域割当（grant割当）を行うものとなっている。
【０１６３】
したがって、図１６に示すように、光スプリッタ２（ＳＰ＃１〜ＳＰ＃Ｎ）と光トランシーバ１１（ＴＲ＃１〜ＴＲ＃Ｎ）との間に光スイッチ１０を設けて、ＯＮＵ３に対する上り帯域割当のタイミングに合わせて光スイッチ１０を切替制御することにより、それぞれのＯＮＵ３を個別に任意の光トランシーバ１１に接続することができる。
下りについては、接続するＯＮＵ３を波長可変型とし、接続する光トランシーバ１１の下り波長をＯＬＴ１からの指示により選択することにより任意の光トランシーバ１１に接続することができる。
【０１６４】
本実施の形態は、このような仕組みを利用して、スリープ中のＯＮＵ３を特定の光トランシーバ１１に切替接続するとともに、当該光トランシーバ１１への電源供給を停止するようにしたものである。
すなわち、本実施の形態にかかるＰＯＮ制御回路１２は、各加入者側装置のスリープ状況および上り帯域割当状況ＵＳに基づいて、光スイッチ制御信号ＣＮＴにより光スイッチ１０を切替制御する機能とＯＮＵ３を制御する機能を有している。
また、電源制御回路２３は、スリープ中光トランシーバＴＲ＃ｉに対する電源供給を停止する機能を有している。
【０１６５】
本実施の形態においても、スリープ中光トランシーバＴＲ＃ｉに対する電源供給を、特定の電源停止期間だけ間欠的に停止する際、このＴＲ＃ｉに対して、当該電源停止期間においてだけ、ＴＲ＃ｉに対してスリープ中のＯＮＵ３のみ接続し、通信中のＯＮＵ３を接続してはならないことになり、電源停止期間以外の期間については、スリープ中のＯＮＵ３を切替接続してもよい。この電源停止期間については、周期的に設定してもよく、スリープ状況ＳＳに合わせて、より多くのＯＮＵ３がスリープする期間を選択してもよい。
【０１６６】
したがって、電源を停止するＴＲ＃ｉの選択方法については、ラウンドロビンなどの手法により、光トランシーバ１１（ＴＲ＃１〜ＴＲ＃Ｎ）のうちからいずれか１つをＴＲ＃ｉとして選択する方法が考えられる。また、光トランシーバ１１（ＴＲ＃１〜ＴＲ＃Ｎ）のうち、スリープ中ＯＮＵ３の数が最も多いものや、通信中ＯＮＵ３の数が最も少ないものを選択することにより、光スイッチ１０での切替動作を低減させるようにしてもよい。
【０１６７】
これにより、光トランシーバ１１（ＴＲ＃１〜ＴＲ＃Ｎ）のいずれかにおいて、接続されている各ＯＮＵ３のスリープ期間が重複するスリープ重複期間に、当該光トランシーバ１１への電源供給を停止する場合と比較して、より高い頻度でスリープ中光トランシーバＴＲ＃ｉへの電源供給を停止することができる。したがって、より効率よく、ＯＬＴ１全体の消費電力を削減することが可能となる。
【０１６８】
また、図１６の構成において、ＯＬＴ１の光トランシーバ１１毎に上りの波長を変え、光スイッチ１０を波長選択型のスイッチ、ＯＮＵ３を波長可変型とし、ＯＬＴ１からの指示でＯＮＵ３の上りの波長を変えることにより、切替接続を行う構成としても良い。この場合、上り帯域割当状況ＵＳのタイミングに合わせた光スイッチ１０の切替制御は不要となる（波長により自動的に切り替わる）。
【０１６９】
図１６の構成において、ＯＮＵ３が出力するデータの先頭部等に接続する光トランシーバ１１の識別情報を付加することにより光スイッチ１０で切替接続を行う構成としても良い。この場合、上り帯域割当状況ＵＳのタイミングに合わせた光スイッチ１０の切替制御は不要（識別情報により自動的に切り替わる）となり、ＯＬＴ１の光トランシーバ１１、ＯＮＵ３ともすべて同じ波長を上りで使用することが可能である（波長可変型にする必要も無い）。
なお、図１６に示した本実施の形態にかかる光スイッチ１０については、図１１に示した構成例だけでなく、前述の図３Ｃや図１３Ａに示した構成例に適用してもよい。
【０１７０】
［実施の形態の拡張］
以上、実施形態を参照して本発明を説明したが、本発明は上記実施形態に限定されるものではない。本発明の構成や詳細には、本発明のスコープ内で当業者が理解しうる様々な変更をすることができる。また、各実施形態については、矛盾しない範囲で任意に組み合わせて実施することができる。
【０１７１】
例えば、図４、図５Ａ、図６、図７、及び、図９Ａの光トランシーバ１１と選択回路２１は電源制御の対象となっていないが、図３Ｃの光トランシーバ１１及び選択回路２１と同様に電源制御を行うように変更することが可能である。
なお、選択回路２１の電源制御を光トランシーバ１１毎ではなく、複数の光トランシーバ１１を単位として行っても良い。例えば、図７の選択回路２１を電源制御の対象とする場合、ＴＲ＃１とＴＲ＃２の両方への電源供給を停止する場合に、ＳＥＬ＃１への電源供給も停止する。図７の選択回路２１で上り帯域割当状況ＵＳによる電源制御を行う場合は、ＳＥＬ＃１〜ＳＥＬ＃７の内、電源供給が必要な３個のセレクタを除いた４個のセレクタへの電源供給を停止するようにしても良い。
【符号の説明】
【０１７２】
１００…光伝送システム、１…ＯＬＴ（局側装置）、２，ＳＰ…光スプリッタ、３…ＯＮＵ（加入者側装置）、１０…光スイッチ、１１，ＴＲ…光トランシーバ、１２，ＰＯＮ…ＰＯＮ制御回路、１３…選択・分配回路、２１…選択回路、２１Ａ…１０Ｇｂｉｔ／ｓ用選択回路、２１Ｂ…１Ｇｂｉｔ／ｓ用選択回路、２２…分配回路、２３…電源制御回路、２３Ａ…電源スイッチ制御回路、ＡＮＤ…ＡＮＤ回路、ＯＲ…ＯＲ回路、ＢＵＦ…バッファ回路、ＳＥＬ…セレクタ、ＳＣ…セレクタ制御回路、Ｆ１，Ｆ２…光ファイバ、ＲＸ，ＲＤ…上りフレーム出力、ＴＸ，ＴＤ…下りフレーム出力、ＬＯＳ…ＬＯＳ出力、ＰＳ…運用状況、ＳＳ…スリープ状況、ＵＳ…上り帯域割当状況、ＳＴ…動作状況、ＣＮＴ…光スイッチ制御信号。
【図１】
2016143692.tif 000003
【図２】
2016143692.tif 000004
【図３Ａ】
2016143692.tif 000005
【図３Ｂ】
2016143692.tif 000006
【図３Ｃ】
2016143692.tif 000007
【図４】
2016143692.tif 000008
【図５Ａ】
2016143692.tif 000009
【図５Ｂ】
2016143692.tif 000010
【図６】
2016143692.tif 000011
【図７】
2016143692.tif 000012
【図８】
2016143692.tif 000013
【図９Ａ】
2016143692.tif 000014
【図９Ｂ】
2016143692.tif 000015
【図１０】
2016143692.tif 000016
【図１１】
2016143692.tif 000017
【図１２】
2016143692.tif 000018
【図１３Ａ】
2016143692.tif 000019
【図１３Ｂ】
2016143692.tif 000020
【図１４Ａ】
2016143692.tif 000021
【図１４Ｂ】
2016143692.tif 000022
【図１５】
2016143692.tif 000023
【図１６】
2016143692.tif 000024
【図１７】
2016143692.tif 000025
【図１８】
2016143692.tif 000026
【国際調査報告】
2016143692.tif 000027
2016143692.tif 000028
2016143692.tif 000029
2016143692.tif 000030